(57)【要約】異物の侵入を防止すると共に、前面壁の傾斜面を利用した開閉蓋を構成して厚みを感じさせない外観デザインを有するディスク装置を提供する。外装ケース１の前面壁１ａは、前方が下方に傾斜する傾斜面を有するように構成する。外装ケース１の前面壁１ａに開口部１ｂを設け、当該開口部１ｂを開閉可能に塞ぐように蓋体２を設ける。蓋体２は、ディスク搬送方向と直交する方向に設けた回動軸を中心として回動することにより、ディスク挿入口１ｃが外部に露出しないように傾斜面に対して面一になる閉蓋位置２Ａと、ディスク挿入口１ｃを外部に露出させる共にディスク２００をディスク挿入口１ｃへガイド可能な開蓋位置２Ｂとの間を移動するように構成する。
2012049793.tif 000002
【特許請求の範囲】
【請求項１】
ディスク挿入口から挿入されたディスクを再生可能位置に搬送するディスク搬送機構と、
前記再生可能位置に搬送されたディスクを再生可能なクランプ状態にするためにターンテーブル上に装着するディスク装着機構と、
を備えるスロットイン方式のディスク装置であって、
前記ディスク装置の外装ケースの前面壁は、前方が下方に傾斜する傾斜面を有し、
前記外装ケースの前面壁には、前記ディスク挿入口への前記ディスクの挿入を可能にする開口部が設けられると共に、前記開口部を開閉可能に塞ぐように蓋体が設けられ、
前記蓋体は、前記ディスク挿入口の前方の前記開口部の側部において前記ディスク搬送方向と直交する方向に設けた回動軸を中心として回動することにより、前記ディスク挿入口が外部に露出しないように前記傾斜面に対して面一になる閉蓋位置と、前記ディスク挿入口を外部に露出させる共に前記ディスクを前記ディスク挿入口へガイド可能な開蓋位置との間を移動するように構成されている、ディスク装置。
【請求項２】
前記蓋体は、前記閉蓋位置に位置する状態で前記回動軸よりも前記ディスク挿入口側の部分を押圧されることにより前記開蓋位置へ回動し、前記開蓋位置に位置する状態で前記回動軸よりも前記ディスク挿入口から離れた部分を押圧されることにより前記閉蓋位置へ回動するように構成されている、請求項１に記載のディスク装置。
【請求項３】
前記ディスク搬送機構は、前記再生可能位置に搬送された前記ディスクを前記ディスク挿入口へ排出可能に構成され、
前記蓋体には、前記蓋体が前記開蓋位置に位置するときに前記ディスク搬送機構により前記ディスク挿入口から排出された前記ディスクの中心に形成された孔と対向する部分に、手指が入る凹部が形成されている、請求項１又は２に記載のディスク装置。
【請求項４】
前記ディスク搬送機構は、前記ディスク挿入口から挿入された前記ディスクを前記再生可能位置に搬送する複数のディスク搬送ローラを備え、
前記ディスク挿入口には、前記ディスクが通過可能なスリットが設けられた弾性シートで構成される防塵カバーが取り付けられ、
前記ディスクが前記スリットに挿入されて前記弾性シートに支持されると共に前記複数のディスク搬送ローラに挟持されたとき、前記ディスクと前記蓋体とが非接触の状態になるように構成されている、請求項１〜３のいずれか１つに記載のディスク装置。
【請求項５】
前記外装ケースは、テレビジョン受像機のペデスタルを構成する、請求項１〜４のいずれか１つに記載のディスク装置。
【請求項６】
前記閉蓋位置に移動された前記蓋体を当該閉蓋位置で保持すると共に、前記開蓋位置に移動された前記蓋体を当該開蓋位置で保持する保持機構と、
前記蓋体の開閉に関連して前記保持機構による保持状態を切り換える蓋開閉切換機構と、をさらに有し、
前記蓋体が前記開蓋位置に位置する状態において、前記ディスク装着機構が前記ディスクを前記ターンテーブル上に装着するように動作するとき、当該動作に連動して、前記蓋開閉切換機構によって、前記保持機構が前記蓋体を前記開蓋位置で保持する状態から当該蓋体の閉蓋位置で保持する状態に切り換えるように構成されている、請求項１〜５のいずれか１つに記載のディスク装置。
【請求項７】
前記ディスク搬送機構は、前記再生可能位置に搬送された前記ディスクを前記ディスク挿入口へ排出可能に構成され、
前記ディスクが前記ターンテーブル上に装着された状態で、前記蓋体が前記閉蓋位置から前記開蓋位置へ移動されたとき、前記ディスク搬送機構が前記ディスクを前記ディスク挿入口へ排出する一方、前記保持機構が前記蓋体を前記開蓋位置で保持する状態を切り換えることなく前記蓋体を前記開蓋位置で保持するように構成されている、請求項６に記載のディスク装置。
【請求項８】
前記蓋開閉切換機構は、ディスク挿入時のみに作用して前記保持機構による前記開蓋位置の保持状態から前記閉蓋位置の保持状態に切り換えを可能とする１ウェイクラッチを備える、請求項７に記載のディスク装置。
【発明の詳細な説明】
【技術分野】
【０００１】
本発明は、ＣＤやＤＶＤ、ＢＤ等のディスク状の記録媒体（以下、ディスクという）を、トレイを用いずに筐体内の再生可能位置に搬入するように構成されたスロットイン方式のディスク装置に関する。
【背景技術】
【０００２】
従来、この種のディスク装置は、通常、筐体（外部筐体）の正面に設けられたディスク挿入口を通じてディスクを筐体内へ直接挿入するように構成されている。ディスク挿入口を通じて挿入されたディスクは、ローラなどを備えるディスク搬送機構により再生可能位置に搬入される。【０００３】
この種のディスク装置においては、ディスク挿入口が外部に露出しているため、当該ディスク挿入口を通じて塵などの異物が筐体内に侵入するおそれがある。この異物の侵入を防ぐ構成としては、例えば、特許文献１（特開２０１０−５５６７０号公報）、特許文献２（特開平９−１８０３３２号公報）、特許文献３（特開平９−３５４６４号公報）に開示されたものがある。【０００４】
特許文献１には、ディスクを挿通可能なスリットが設けられた略防塵材をディスク挿入口に取り付けたディスク装置が開示されている。また、特許文献１のディスク装置は、ディスクが略防塵材のスリットを通過した後、当該略防塵材よりも装置内側に設けた蓋体を回動させてディスク挿入口を閉じるように構成されている。【０００５】
また、特許文献２には、ディスク挿入口の前方にフロントパネルを配置し、当該フロントパネルを昇降させることによって、ディスク挿入口を開閉するように構成されたディスク装置が開示されている。また、特許文献２のディスク装置は、フロントパネルの下降によるディスク挿入口が開放状態にあるときに、フロントパネルの上部とディスク挿入口との段差を無くすように設けられ、ディスク挿入口へのディスクの挿入及び排出を円滑にする突出ガイドプレートを備えている。【０００６】
また、特許文献３には、回転スライド式の蓋を回動させることでディスク挿入口を開閉するように構成されたディスク装置が開示されている。特許文献３のディスク装置は、ディスク挿入口にディスクを案内するためのガイド面部を備えると共に、ディスク挿入口を開閉する蓋の一部に補助ガイド面部を備え、ディスク挿入口が開かれたときには、蓋の補助ガイド面部とガイド面部とを合わせた広い面でディスクをディスク挿入口に案内できるように構成されている。
【先行技術文献】
【特許文献】
【０００７】
【特許文献１】特開２０１０−５５６７０号公報
【特許文献２】特開平９−１８０３３２号公報
【特許文献３】特開平９−３５４６４号公報
【発明の概要】
【発明が解決しようとする課題】
【０００８】
前述したスロットイン方式のディスク装置は、テレビジョン受像機などの他の電気機器と一体化されて使用されることが多い。この種の装置としては、例えば、テレビジョン受像機の側部にディスク装置を内蔵した装置がよく知られている。この装置においては、外観デザインを損ねないように、通常、ディスク挿入口がテレビジョン受像機の正面からは見えない位置に、例えば、前述した特許文献１のタイプのものを縦型に構成したものが設けられている。このため、ディスクをディスク挿入口に挿入する際、テレビジョン受像機の側方に回り込んでディスク挿入口の位置を確認するなどの必要性があり、扱い難いという課題がある。そこで、テレビジョン受像機のペデスタルにディスク装置を内蔵させることが検討されている。【０００９】
ペデスタルの外観デザインは、通常、前面壁に傾斜面を有する台形状の薄型に構成されたものが多く、このペデスタルの外観形状を変えることは、テレビジョン受像機全体の外観デザインに与える影響が大きい。このため、ペデスタルの外観デザインを損ねないようにディスク装置を内蔵させる必要がある。このペデスタルにディスク装置を内蔵させると、当然ながら、ペデスタル全体の厚みをディスク装置の厚みより小さくすることはできない。また、ディスクの挿入及び排出を考慮すると、ディスク装置は、ペデスタルの前面壁の近傍に配置することが求められるが、この前面壁には前述したように傾斜面を有している。このため、ペデスタルにディスク装置を内蔵しようとすると、そのディスク装置の厚みによって、外観デザインに悪影響を及ぼすことが懸念される。【００１０】
特許文献１のディスク装置は、ディスク挿入口が外部に露出しているので、前面壁に傾斜面を有するペデスタルにそのまま組み込むことは、外観デザイン上、好ましくない。また、特許文献１のディスク装置は、そのまま組み込んだ場合、略防塵材のスリットを通じて塵などの異物が装置内に侵入しやすいおそれがある。【００１１】
特許文献２のディスク装置は、フロントパネルによってディスク挿入口を閉塞することができるので、より一層異物の侵入を抑えることができる。しかしながら、特許文献２のディスク装置のフロントパネルは、ディスク挿入口を閉塞した状態では垂直方向に延在している。このため、当該ディスク装置をペデスタルに内蔵した場合、ペデスタルの厚みが強調され、前述したように傾斜面を有しているペデスタルに採用する場合は、外観デザインに悪影響を及ぼすことが懸念される。【００１２】
特許文献３のディスク装置は、回転スライド式の蓋によってディスク挿入口を閉塞することができるので、より一層異物の侵入を抑えることができる。しかしながら、特許文献３のディスク装置においては、ディスク挿入口の下方に設けられた回動軸を中心として蓋を回動させる構成であるので、ディスク装置の前面壁の外観デザインは円弧状に制限される。このため、特許文献３のディスク装置をペデスタルに内蔵した場合、ペデスタルの厚みが強調され、前述したように傾斜面を有しているペデスタルに採用する場合は、外観デザインに悪影響を及ぼすことが懸念される。【００１３】
従って、本発明の目的は、前記問題を解決することにあって、異物の侵入を防止すると共に、前面壁に傾斜面を有するような外観デザインの外装ケースに内蔵されて、その厚みを感じさせない外観デザインを有するディスク装置を提供することにある。
【課題を解決するための手段】
【００１４】
前記目的を達成するために、本発明は以下のように構成する。
本発明によれば、ディスク挿入口から挿入されたディスクを再生可能位置に搬送するディスク搬送機構と、
前記再生可能位置に搬送されたディスクを再生可能なクランプ状態にするためにターンテーブル上に装着するディスク装着機構と、
を備えるスロットイン方式のディスク装置であって、
前記ディスク装置の外装ケースの前面壁は、前方が下方に傾斜する傾斜面を有し、
前記外装ケースの前面壁には、前記ディスク挿入口への前記ディスクの挿入を可能にする開口部が設けられると共に、前記開口部を開閉可能に塞ぐように蓋体が設けられ、
前記蓋体は、前記ディスク挿入口の前方の前記開口部の側部において前記ディスク搬送方向と直交する方向に設けた回動軸を中心として回動することにより、前記ディスク挿入口が外部に露出しないように前記傾斜面に対して面一になる閉蓋位置と、前記ディスク挿入口を外部に露出させる共に前記ディスクを前記ディスク挿入口へガイド可能な開蓋位置との間を移動するように構成されている、ディスク装置を提供する。
【発明の効果】
【００１５】
本発明によれば、前記構成を有することにより、異物の侵入を防止すると共に、前面壁に傾斜面を有するような外装ケースに内蔵されて、その前面壁の傾斜面を利用した開閉蓋を構成して、厚みを感じさせない外観デザインを有するディスク装置を提供することができる。
【図面の簡単な説明】
【００１６】
本発明のこれらと他の目的と特徴は、添付された図面についての好ましい実施の形態に関連した次の記述から明らかになる。この図面においては、
【図１Ａ】図１Ａは、本発明の第１実施形態にかかるディスク装置の斜視図であって、蓋体が閉蓋位置に位置する状態を示す図であり、
【図１Ｂ】図１Ｂは、本発明の第１実施形態にかかるディスク装置の斜視図であって、蓋体が開蓋位置に位置する状態を示す図であり、
【図２】図２は、本発明の第１実施形態にかかるディスク装置に内蔵されたディスクドライブユニットの分解斜視図であり、
【図３】図３は、図２に示すディスクドライブユニットの内部構造を示す平面図であり、
【図４】図４は、連結ロッドを設けたスライドカム部材の斜視図であり、
【図５】図５は、蓋体に関連する部品の構成を示す分解斜視図であり、
【図６】図６は、図２に示すディスクドライブユニットの前部にシャーシ部材を取り付けた状態を示す拡大斜視図であり、
【図７Ａ】図７Ａは、蓋体が閉蓋位置に位置するときの蓋体に関連する部品の構成を示す断面図であり、
【図７Ｂ】図７Ｂは、蓋体が開蓋位置に位置するときの蓋体に関連する部品の構成を示す断面図であり、
【図８Ａ】図８Ａは、蓋開閉ギアブロックの構成を示す分解斜視図であり、
【図８Ｂ】図８Ｂは、蓋開閉ギアブロックの側面図であり、
【図９Ａ】図９Ａは、ディスクドライブユニットの開口部と、シャーシ部材との位置関係を示す正面図であり、
【図９Ｂ】図９Ｂは、蓋体とディスクとの位置関係を示す断面図であり、
【図１０】図１０は、図２に示すディスクドライブユニットの内部にディスクが挿入された直後の状態を示す上面図であり、
【図１１】図１１は、図２に示すディスクドライブユニットの内部にディスクを搬送する途中の状態を示す上面図であり、
【図１２】図１２は、図２に示すディスクドライブユニットの内部の再生可能位置にディスクが搬送された状態を示す上面図であり、
【図１３】図１３は、ディスクの搬入時におけるガイドレバー、センタリング部材、トリガレバー及びスライドカム部材の位置関係を示す上面図であり、
【図１４】図１４は、図１３に示す状態から更にディスクの搬入が進行した状態を示す上面図であり、
【図１５】図１５は、一対のローラアームと一対のリンクアームとの取付状態を示す上面図であり、
【図１６Ａ】図１６Ａは、一対のローラアームが互いに近づく方向に回動した状態を示す下面図であり、
【図１６Ｂ】図１６Ｂは、一対のローラアームが互いに遠ざかる方向に回動した状態を示す下面図であり、
【図１７Ａ】図１７Ａは、ターンテーブルが下降した状態にあるときの中間シャーシと一対のスライドカム部材との位置関係を示す斜視図であり、
【図１７Ｂ】図１７Ｂは、ターンテーブルが下降した状態にあるときの中間シャーシと一対のスライドカム部材との位置関係を示す、図１７Ａとは別の角度から見た斜視図であり、
【図１８】図１８は、ターンテーブルが下降した状態にあるときのスライドカム部材とリンクアームとの位置関係を示す上面図であり、
【図１９Ａ】図１９Ａは、ターンテーブルが上昇した状態にあるときの中間シャーシと一対のスライドカム部材との位置関係を示す斜視図であり、
【図１９Ｂ】図１９Ｂは、ターンテーブルが上昇した状態にあるときの中間シャーシと一対のスライドカム部材との位置関係を示す、図１９Ａとは別の角度から見た斜視図であり、
【図２０】図２０は、ターンテーブルが上昇した状態にあるときのスライドカム部材とリンクアームとの位置関係を示す上面図であり、
【図２１Ａ】図２１Ａは、ディスクがターンテーブル上に装着されておらず、且つ蓋体が開蓋位置に位置するときの蓋体に関連する部品の位置関係を示す断面図であり、
【図２１Ｂ】図２１Ｂは、ディスクがターンテーブル上に装着されておらず、且つ蓋体が開蓋位置に位置するときの蓋体に関連する部品の位置関係を示す断面図であり、
【図２２Ａ】図２２Ａは、蓋体が開蓋位置に位置する状態で、ディスク挿入部にディスクを挿入した状態を示す断面図であり、
【図２２Ｂ】図２２Ｂは、連結ロッドの突起部が蓋開閉アームのアーム部に当接し、当該アーム部と共に蓋開閉ギアが回動している途中の状態を示す断面図であり、
【図２３Ａ】図２３Ａは、ディスクがターンテーブル上に装着され、且つ蓋体が閉蓋位置に位置するときの蓋体に関連する部品の状態を示す断面図であり、
【図２３Ｂ】図２３Ｂは、ディスクがターンテーブル上に装着され、且つ蓋体が開蓋位置に位置するときの蓋体に関連する部品の状態を示す断面図であり、
【図２４Ａ】図２４Ａは、連結ロッドの突起部が蓋開閉アームのアーム部と当接し、当該アーム部のみが回動している状態を示す断面図であり、
【図２４Ｂ】図２４Ｂは、ディスクの排出動作が完了した状態を示す断面図であり、
【図２５Ａ】図２５Ａは、ディスクと蓋体とが接触した状態を示す断面図であり、
【図２５Ｂ】図２５Ｂは、ディスクが複数のゴムローラと弾性シートとにより支持された状態を示す正面図であり、
【図２６】図２６は、本発明の第１実施形態にかかるディスク装置の制御関係の構成を示すブロック図であり、
【図２７】図２７は、本発明の第１実施形態にかかるディスク装置の制御フローを示すフローチャートであり、
【図２８】図２８は、本発明の第２実施形態にかかるディスク装置を備えたテレビジョン受像機を示す斜視図である。
【発明を実施するための形態】
【００１７】
本発明の第１態様によれば、ディスク挿入口から挿入されたディスクを再生可能位置に搬送するディスク搬送機構と、
前記再生可能位置に搬送されたディスクを再生可能なクランプ状態にするためにターンテーブル上に装着するディスク装着機構と、
を備えるスロットイン方式のディスク装置であって、
前記ディスク装置の外装ケースの前面壁は、前方が下方に傾斜する傾斜面を有し、
前記外装ケースの前面壁には、前記ディスク挿入口への前記ディスクの挿入を可能にする開口部が設けられると共に、前記開口部を開閉可能に塞ぐように蓋体が設けられ、
前記蓋体は、前記ディスク挿入口の前方の前記開口部の側部において前記ディスク搬送方向と直交する方向に設けた回動軸を中心として回動することにより、前記ディスク挿入口が外部に露出しないように前記傾斜面に対して面一になる閉蓋位置と、前記ディスク挿入口を外部に露出させる共に前記ディスクを前記ディスク挿入口へガイド可能な開蓋位置との間を移動するように構成されている、ディスク装置を提供する。
【００１８】
本発明の第２態様によれば、前記蓋体は、前記閉蓋位置に位置する状態で前記回動軸よりも前記ディスク挿入口側の部分を押圧されることにより前記開蓋位置へ回動し、前記開蓋位置に位置する状態で前記回動軸よりも前記ディスク挿入口から離れた部分を押圧されることにより前記閉蓋位置へ回動するように構成されている、第１態様に記載のディスク装置を提供する。
【００１９】
本発明の第３態様によれば、前記ディスク搬送機構は、前記再生可能位置に搬送された前記ディスクを前記ディスク挿入口へ排出可能に構成され、
前記蓋体には、前記蓋体が前記開蓋位置に位置するときに前記ディスク搬送機構により前記ディスク挿入口から排出された前記ディスクの中心に形成された孔と対向する部分に、手指が入る凹部が形成されている、第１又は２態様に記載のディスク装置を提供する。
【００２０】
本発明の第４態様によれば、前記ディスク搬送機構は、前記ディスク挿入口から挿入された前記ディスクを前記再生可能位置に搬送する複数のディスク搬送ローラを備え、
前記ディスク挿入口には、前記ディスクが通過可能なスリットが設けられた弾性シートで構成される防塵カバーが取り付けられ、
前記ディスクが前記スリットに挿入されて前記弾性シートに支持されると共に前記複数のディスク搬送ローラに挟持されたとき、前記ディスクと前記蓋体とが非接触の状態になるように構成されている、第１〜３態様のいずれか１つに記載のディスク装置を提供する。
【００２１】
本発明の第５態様によれば、前記外装ケースは、テレビジョン受像機のペデスタルを構成する、第１〜４態様のいずれか１つに記載のディスク装置を提供する。
【００２２】
本発明の第６態様によれば、前記閉蓋位置に移動された前記蓋体を当該閉蓋位置で保持すると共に、前記開蓋位置に移動された前記蓋体を当該開蓋位置で保持する保持機構と、
前記蓋体の開閉に関連して前記保持機構による保持状態を切り換える蓋開閉切換機構と、をさらに有し、
前記蓋体が前記開蓋位置に位置する状態において、前記ディスク装着機構が前記ディスクを前記ターンテーブル上に装着するように動作するとき、当該動作に連動して、前記蓋開閉切換機構によって、前記保持機構が前記蓋体を前記開蓋位置で保持する状態から当該蓋体の閉蓋位置で保持する状態に切り換えるように構成されている、第１〜５態様のいずれか１つに記載のディスク装置を提供する。
【００２３】
本発明の第７態様によれば、前記ディスク搬送機構は、前記再生可能位置に搬送された前記ディスクを前記ディスク挿入口へ排出可能に構成され、
前記ディスクが前記ターンテーブル上に装着された状態で、前記蓋体が前記閉蓋位置から前記開蓋位置へ移動されたとき、前記ディスク搬送機構が前記ディスクを前記ディスク挿入口へ排出する一方、前記保持機構が前記蓋体を前記開蓋位置で保持する状態を切り換えることなく前記蓋体を前記開蓋位置で保持するように構成されている、第６態様に記載のディスク装置を提供する。
【００２４】
本発明の第８態様によれば、前記蓋開閉切換機構は、ディスク挿入時のみに作用して前記保持機構による前記開蓋位置の保持状態から前記閉蓋位置の保持状態に切り換えを可能とする１ウェイクラッチを備える、第７態様に記載のディスク装置を提供する。
【００２５】
本発明の記述を続ける前に、添付図面において同じ部品については同じ参照符号を付している。
以下、本発明の実施形態について、図面を参照しながら説明する。
【００２６】
（第１実施形態）
以下、本発明の第１実施形態にかかるディスク装置について説明する。図１Ａ及び図１Ｂは、本発明の第１実施形態にかかるディスク装置の斜視図である。
【００２７】
図１Ａ及び図１Ｂにおいて、１は本第１実施形態にかかるディスク装置の外装ケースであり、外装ケース１の前面壁１ａは、前方が下方となるように傾斜する傾斜面を有している。前面壁１ａには、挿入されるディスク２００が通過可能な開口部１ｂが形成され、当該開口部１ｂを塞ぐように蓋体２が設けられている。蓋体２は、ディスク搬送方向である矢印Ａ１及びＡ２方向に対して直交する方向を回動軸として回動可能に設けられている。蓋体２の回動軸は、蓋体２の左右であって、開口部１ｂの側部おいてディスク装置の前方（矢印Ａ２方向側）に偏って配置されている。蓋体２が回動することにより、開口部１ｂを開閉することができる。図１Ａは、蓋体２が開口部１ｂを閉塞した状態を示しており、図１Ｂは、蓋体２が開口部１ｂを開放した状態を示している。
【００２８】
図１Ａに示すように、開口部１ｂを閉塞した状態において、蓋体２は、上表面が前面壁１ａの傾斜面とほぼ面一となる閉蓋位置２Ａに位置するように構成されている。一方、図１Ｂに示すように、開口部１ｂを開放した状態において、蓋体２は、上表面が矢印Ａ１及びＡ２方向と略平行になる開蓋位置２Ｂに位置するように構成されている。蓋体２が開蓋位置２Ｂに位置するとき、蓋体２よりも矢印Ａ１方向側に設けられたディスク挿入口１ｃが外部に露出する。このとき、蓋体２の上表面は、ディスク２００をディスク挿入口１ｃへと導くガイドとして機能する。
【００２９】
また、蓋体２の上表面には、手指が入る凹部２ａが形成されている。凹部２ａは、ディスク２００がディスク挿入口１ｃから排出された時に、ディスク２００の中央に形成された孔と対応する位置に形成されている。これにより、ユーザが手指をディスク２００の孔を通じて凹部２ａに差し込むことで、ディスク２００の保持が容易になっている。また、凹部２ａは、ユーザが閉蓋位置２Ａから開蓋位置２Ｂまで蓋体２を回動させるために押圧する際の指標となる。
【００３０】
次に、図２〜図３を用いて、前述の外装ケース１に内蔵されたディスクドライブユニット１００の構成について説明する。図２は、ディスクドライブユニット１００の分解斜視図である。図３は、ディスクドライブユニット１００の内部構造を示す上面図である。ディスクドライブユニット１００は、トレイを用いずにディスク２００を筐体内の再生可能位置に搬入するように構成されたスロットイン方式の装置である。
【００３１】
図２に示すように、ディスクドライブユニット１００は、該ユニットの外郭となる筐体１０１を備えている。筐体１０１の正面には、ディスク２００を挿入及び排出するための開口部１０１ａが設けられている。開口部１０１ａと後述するシャーシ部材４４のディスク挿入孔４４ａとにより、前述したディスク挿入口１ｃが構成される。開口部１０１ａは、防塵カバー３により塞がれている。防塵カバー３は、フェルト等の弾性シート３ａを備えている。弾性シート３ａのほぼ中央部（開口部１０１ａと対向する位置）には、ディスク２００が通過可能なスリット３ｂが形成されている。ディスク２００の先端部が防塵カバー３を弾性変形させながらスリット３ｂ及び開口部１０１ａを通じて筐体１０１内に挿入されることにより、筐体１０１内に配置された後述するディスク搬送機構が駆動し、ディスク２００が再生可能位置まで搬送される。
【００３２】
筐体１０１の開口部１０１ａの近傍には、ディスク２００の上側をガイドする上ガイド４と、ディスク２００の下側をガイドするローラベース５のガイド部５ａとが設けられている（図９Ａ参照）。ローラベース５は、ディスク２００を筐体１０１の内部に搬送する、ガイド及び駆動力伝達部として機能する一対のローラアーム７ａ，７ｂを回動自在に保持している（図１０参照）。ローラアーム７ａには、ディスク搬送ローラとして一対のゴムローラ６ａ，６ｂが回動自在に設けられている。ローラアーム７ｂには、ディスク搬送ローラとして一対のゴムローラ６ｃ，６ｄが固定されている。ゴムローラ６ａは、ローラギア６ｅと一体的に設けられている。ゴムローラ６ｂは、ローラギア６ｆと一体的に設けられている。
【００３３】
また、ローラアーム７ａには、ギア８ａ〜８ｃで構成されるギア列８が設けられている（図１５参照）。ギア８ｃは、図３に示すギア１０ａ〜１０ｅで構成されるギア列１０のうちのギア１０ａと噛み合っている。ギア１０ｅは、駆動源の一例であるモータ９が備えるウォームギア９ａと噛み合っている。従って、モータ９の駆動力は、ウォームギア９ａ及びギア列１０のギア１０ｅ−１０ｄ−１０ｃ−１０ｂ及びギア１０ａを介してギア列８に伝達されるようになっている。
【００３４】
また、ギア１０ｆはギア１０ｄの下側歯車と噛み合っているため、モータ９の駆動力が同時に伝達されるようになっている。このギア１０ｆと同軸にピニオン１０ｇが一体的に形成されている。ピニオン１０ｇは、後述するスライドカム部材１６に設けられたラック３０と噛み合い可能に構成されているが、ディスク２００が挿入されていない初期状態では、ピニオン１０ｇはラック３０と噛み合っていない状態にある。
【００３５】
また、ギア１０ｃは、クラッチプレート１１に回動自在に軸支されている。クラッチプレート１１は、上下方向（厚み方向ともいう）を回動軸として回動可能に設けられている。このクラッチプレート１１の回動は、後述するように、スライドカム部材１６が矢印Ａ２方向に摺動することにより行われる。そして、クラッチプレート１１の回動により、ギア１０ｃが移動してギア１０ｂとの噛み合いが切り離され、駆動力の伝達はギア１０ｆ及び同軸のピニオン１０ｇにのみ伝達されるようになっている。ローラベース５、ギア列８、モータ９、及びギア列１０は、筐体１０１内に配置されるメカシャーシ１２に、必要に応じて回動自在又は摺動可能に保持されている。
【００３６】
また、図２に示すように、筐体１０１の内部には、ディスク２００を載置するターンテーブル１３と、光ピックアップ１４及びこれを駆動する機構を有するトラバースメカニズム（以下トラバースという）１５が配置されている。ターンテーブル１３は、ディスク２００を回転させる回転力を発生させるスピンドルモータ（図示せず）と一体的に構成されている。トラバース１５は、上下方向に回動可能に構成されるとともに、メカシャーシ１２に一定の弾性をもってフローティング支持されている。トラバース１５の上下方向への回動により、再生可能位置に搬送されたディスク２００をターンテーブル１３上に装着することができる。
【００３７】
また、図３に示すように、メカシャーシ１２の右側には、スライドカム部材１６が矢印Ａ１又はＡ２方向に摺動自在に設けられている。メカシャーシ１２の左側には、スライドカム部材１８が矢印Ａ１又はＡ２方向に摺動自在に設けられている。スライドカム部材１６とスライドカム部材１８とは、メカシャーシ１２の下部に回動自在に支持されたリンクアーム１７（図２参照）により連結され、リンクアーム１７の回動により相互に逆方向に摺動するように構成されている。
【００３８】
また、メカシャーシ１２には、トラバース１５を支持する中間シャーシ１９が、ピン１９ａ，１９ｂにより軸支されることにより回動自在に設けられている。中間シャーシ１９には、スライドカム部材１６，１８に形成された昇降カム１６ａ，１８ｂ（図２参照）と係合するピン１９ｃ，１９ｄが設けられている。スライドカム部材１６，１８が相互に逆方向に摺動することによって、ピン１９ｃ，１９ｄが昇降カム１６ａ，１８ａに沿って移動することで昇降し、中間シャーシ１９がピン１９ａ，１９ｂを回動軸として回動する。
【００３９】
トラバース１５の前部（ディスク挿入口１ｃ側）は、中間シャーシ１９の前方部分に、フローティングゴム２０ａ，２０ｂを介して左右それぞれ１ヶ所固定されている。トラバース１５の後部は、フローティングゴム２０ｃ，２０ｄを介してメカシャーシ１２にフローティング支持されている。中間シャーシ１９がピン１９ａ，１９ｂを回動軸として回動することにより、トラバース１５がフローティングゴム２０ｄ，２０ｃ側を回動軸として回動する。このトラバース１５の回動動作に伴って、ターンテーブル１３が昇降する。
【００４０】
ターンテーブル１３の上方には、トラバース１５の上部を覆うようにアッパーベース２２が配置されている。アッパーベース２２のターンテーブル１３と対向する位置には、開口部２２ａが設けられている。アッパーベース２２には、開口部２２ａを挟んで対向するクランパリフタ２３ａ，２３ｂが、互いに近づく又は離れる方向に摺動可能に設けられている。また、、ターンテーブル１３の上方には、ディスク２００をターンテーブル１３上にクランプするためのクランパ２１が設けられている。
【００４１】
クランパ２１は、一対のクランパリフタ２３ａ，２３ｂが互いに近づいて位置するとき、クランパリフタ２３ａ，２３ｂのそれぞれの端部に支持される。このとき、クランパ２１は、ターンテーブル１３上に載置されたディスク２００と非接触の状態にある。この状態から一対のクランパリフタ２３ａ，２３ｂが互いに離れる方向に移動されると、クランパ２１は、開口部２２ａを通じてターンテーブル１３に近づくように移動する。
【００４２】
クランパ２１には、鉄製のヨーク２１ａが設けられている。ターンテーブル１３上にディスク２００が載置された状態で、鉄製のヨーク２１ａがターンテーブル１３に設けられたマグネットの磁力により引っ張られることにより、ディスク２００がクランパ２１とターンテーブル１３との間に挟み込まれる。これにより、ターンテーブル１３上にディスク２００が装着され、再生可能なクランプ状態となる。また、このクランプ状態から、一対のクランパリフタ２３ａ，２３ｂが互いに近づく方向に移動されると、当該移動により一対のクランパリフタ２３ａ，２３ｂに押圧されたクランパ２１は、磁力に抗してターンテーブル１３から離れるように移動する。これにより、クランプ状態が解除される。
【００４３】
アッパーベース２２の下面には、ディスク２００が再生可能位置に向かうようにセンタリングを行うセンタリング部材２４が摺動自在に設けられている。また、アッパーベース２２の下面には、再生可能位置に搬送されるディスク２００に当接して押圧されることにより回動するトリガレバー２５が、回動自在に設けられている（図１３及び図１４参照）。また、アッパーベース２２の下面には、筐体１０１内に挿入されたディスク２００をターンテーブル１３とクランパ２１との間で安定して保持するためのガイドレバー２６が、回動自在に設けられている。アッパーベース２２は、メカシャーシ１２に固定されている。メカシャーシ１２は、筐体１０１に固定されている。
【００４４】
また、メカシャーシ１２には、検出スイッチ２７ａ〜２７ｃが実装された基板２７が取り付けられている（図３参照）。検出スイッチ２７ａは、開口部１０１ａ（ディスク挿入口１ｃ）を通じて挿入されたディスク２００を検出するスイッチである。検出スイッチ２７ａは、図１５に示すようにローラアーム７ｂに設けられたディスク検出レバー２９により作動される。検出スイッチ２７ｂは、ディスク２００の排出時にディスク搬送動作の終了を検出するスイッチである。検出スイッチ２７ｂは、ディスク２００の挿入及び排出時に回動するローラアーム７ｂの下面により作動される。検出スイッチ２７ｃは、ディスク２００が再生可能位置に搬送されターンテーブル１３上に装着されたことを検出するスイッチである。検出スイッチ２７ｃは、スライドカム部材１８によって作動される。基板２７は、ローラベース５に取り付けられたローラアーム７ｂと対向する位置に設けられている。
【００４５】
また、ローラベース５には、図１５、図１６Ａ、及び図１６Ｂに示すように、リンクアーム２８ａ，２８ｂが回動自在に設けられている。リンクアーム２８ａ，２８ｂは、ローラアーム７ａ，７ｂと係合し、ローラアーム７ａ，７ｂを互いに同期して回動させるように構成されている。ローラアーム７ａは、回動軸７ａ−１を中心として矢印Ａ５及びＡ７方向に回動可能に設けられている。このローラアーム７ａは、ねじりコイルばね７ａ−２により、矢印Ａ７方向に付勢されている。また、ローラアーム７ｂは、回動軸７ｂ−１を中心として矢印Ａ６及びＡ８方向に回動可能に設けられている。このローラアーム７ｂは、ねじりコイルばね７ｂ−２により、矢印Ａ８方向に付勢されている。
【００４６】
なお、本第１実施形態においては、ギア列１０、ギア列８、ゴムローラ６ａ〜６ｄ、ローラギア６ｅ，６ｆ、ローラアーム７ａ，７ｂ、及びリンクアーム２８ａ，２８ｂにより、ディスク２００を再生可能位置に搬送するディスク搬送機構が構成されている。また、本第１実施形態においては、ギア１０ｄ〜１０ｆ，ピニオン１０ｇ、スライドカム部材１６、リンクアーム１７、スライドカム部材１８、中間シャーシ１９、トラバース１５、フローティングゴム２０ａ〜２０ｄ、クランパ２１、アッパーベース２２、及びクランパリフタ２３ａ，２３ｂにより、再生可能位置に搬送されたディスク２００を再生可能なクランプ状態にするためにターンテーブル１３上に装着するディスク装着機構が構成されている。また、本第１実施形態においては、クラッチプレート１１と、これを駆動するスライドカム部材１６、トリガレバー２５により、駆動源で発生した駆動力がディスク搬送機構又はディスク装着機構のいずれか一方のみに伝達されるように駆動力の伝達経路を切り換える伝達経路切換機構が構成されている。ここで、各々の機構の駆動に関連する共通的な構成部品として、駆動源であるモータ９やウォームギア９ａがあり、ギア列１０のように一部が複数の機構の駆動に供されるものもある。なお、本発明のディスク搬送機構、ディスク装着機構、及び伝達経路切換機構が前記構成に限定されるものではないことは、言うまでもない。
【００４７】
次に、図２及び図３を用いて、ディスクドライブユニット１００の構成を更に詳細に説明する。図３は、図２に示す全体構成の中で、筐体１０１、ローラベース５に関連する部品、及びアッパーベース２２に関連する部品を除いた各部品を、メカシャーシ１２に取り付けた状態を示す上面図である。
【００４８】
図３に示すように、ターンテーブル１３と光ピックアップ１４とは、トラバース１５上でディスクドライブユニット１００のほぼ中央に配置されている。トラバース１５の前部及び両側部を囲むように略Ｕ字状の中間シャーシ１９が配置されている。中間シャーシ１９の右側には、スライドカム部材１６が配置されている。中間シャーシ１９の左側には、スライドカム部材１８が配置されている。スライドカム部材１６とスライドカム部材１８とは、ディスク２００の搬送方向と同じ前後方向（矢印Ａ１及びＡ２方向）に摺動自在に配置されている。ディスク２００が搬送されていない初期状態では、メカシャーシ１２とスライドカム部材１６との間に張設されたバネ１６ｊにより、スライドカム部材１６は矢印Ａ１方向に付勢されている。リンクアーム１７を介してスライドカム部材１６と接続されるスライドカム部材１８は、矢印Ａ２方向に付勢されている。中間シャーシ１９の前部の両端部に設けられたピン１９ｃ，１９ｄは、スライドカム部材１６，１８に形成された昇降カム１６ａ，１８ａ（図２参照）に摺動可能に係合している。中間シャーシ１９の後部の両端部に設けられたピン１９ａ，１９ｂは、メカシャーシ１２に形成された軸受部１２ａ，１２ｂに回動自在に保持されている。この構成により、中間シャーシ１９は、スライドカム部材１６，１８が相互に逆方向に摺動することによって、ピン１９ａ，１９ｂを回動軸として回動し、中間シャーシ１９の前部が昇降する。
【００４９】
ここで、スライドカム部材１６，１８の相互に逆方向への摺動は、スライドカム部材１６のラック３０とピニオン１０ｇとが噛み合った状態で、モータ９の駆動力がウォームギア９ａ，ギア１０ｅ，１０ｄ，１０ｆを介してピニオン１０ｇに伝達されることにより行われる。ピニオン１０ｇは、ターンテーブル１３上の再生可能位置へ搬送されるディスク２００に押圧されてトリガレバー２５が回動し、当該トリガレバー２５に押圧されてスライドカム部材１６が矢印Ａ２方向に若干摺動することによって、ラック３０と噛み合う。
【００５０】
すなわち、モータ９の駆動によってディスク２００が再生可能位置まで搬送されると、トリガレバー２５の作用とモータ９の駆動力の伝達切換によって、スライドカム部材１６，１８が相互に逆方向に摺動する。これにより、中間シャーシ１９及びトラバース１５が上昇し、ターンテーブル１３上にディスク２００が装着され、ディスク２００が再生可能なクランプ状態となる。
【００５１】
また、スライドカム部材１８の一端部には、図４に示すように、連結ロッド４１が一体的に設けられている。連結ロッド４１は、図５に示すように、ディスクドライブユニット１００の筐体１０１に形成された切欠部４２を通じて前方に突出するように設けられている。連結ロッド４１は、ディスク２００をターンテーブル１３上に装着又は離脱させる動作に伴って移動するスライドカム部材１８と一体となって移動する。この連結ロッド４１の移動を利用して、後述するように、蓋体２の開閉動作が行われる。連結ロッド４１は、板金をＬ型に折りまげて形成されている。また、連結ロッド４１は、図４に示すように、スライドカム部材１８の移動方向に対して交差する方向に突出する突起部４１ａを備えている。突起部４１ａは、後述する蓋開閉アーム４６のアーム部４６ａと当接可能な位置に設けられている。連結ロッド４１の基部４１ｂは、スライドカム１８の一端部に嵌合している。連結ロッド４１には、連結ロッド４１が弾性変形することができるように、スリット４１ｃが形成されている。
【００５２】
次に、図５〜図９Ｂを用いて、蓋体２に関連する部品の構成について説明する。図５は、蓋体２に関連する部品の構成を示す分解斜視図である。図６は、ディスクドライブユニット１００の前部にシャーシ部材４４を取り付けた状態を示す拡大斜視図である。図７Ａは、蓋体２が閉蓋位置２Ａに位置するときの蓋体２に関連する部品の構成を示す断面図である。図７Ｂは、蓋体２が開蓋位置２Ｂに位置するときの蓋体２に関連する部品の構成を示す断面図である。図８Ａは、蓋開閉ギアブロックの構成を示す分解斜視図である。図８Ｂは、蓋開閉ギアブロックの側面図である。図９Ａは、ディスクドライブユニット１００の開口部１０１ａとシャーシ部材４４との位置関係を示す正面図である。図９Ｂは、蓋体２とディスク２００との位置関係を示す断面図である。
【００５３】
図５に示すように、ディスクドライブユニット１００の前方には、フレーム４３が配置されている。フレーム４３は、図７Ａ及び図７Ｂに示すように、外装ケース１の開口部１ｂと略対向する底壁１ｅ上に設けられている。
【００５４】
フレーム４３の両端部には、軸受板４３ａが形成されている。各軸受板４３ａには、軸孔４３ｂが形成されている。これらの軸孔４３ｂ，４３ｂには、蓋体２の両側部に設けられた回動軸２ｂ，２ｂが挿入されている。これにより、蓋体２は、フレーム４３に回動自在に軸支されている。また、蓋体２のディスクドライブユニット１００側の端部の下面には、回動軸２ｂを中心として円弧状に突出するように内歯ギア２ｃが形成されている。蓋体２の両側部の下面には、軸受板４３ａと略平行に設けられた側板部２ｄが形成されている。また、フレーム４３上には、シャーシ部材４４が設けられている。
【００５５】
シャーシ部材４４には、ディスク挿入孔４４ａが形成されている。ディスク挿入孔４４ａと前述した開口部１０１ａとによって、図１Ｂに示すディスク挿入口１ｃが構成されている。開口部１０１ａを構成する上ガイド４とローラベース５のガイド部５ａとは、図９Ａに示すように、緩やかに凹状に湾曲したガイド面を有している。同様に、ディスク挿入孔４４ａは、緩やかに凹状に湾曲したガイド面を有している。ディスク２００は、上ガイド４とガイド部５ａとの間のほぼ中央部、及びディスク挿入孔４４ａのほぼ中央部を通るように、防塵カバー３のスリット３ｂの周囲部分にガイドされながら、ディスクドライブユニット１００の内部へ搬送される。
【００５６】
また、図９Ｂに示すように、蓋体２の上表面は、前述したローラベース５のガイド部５ａと同様に、緩やかに凹状に湾曲している。これにより、ディスク２００を蓋体２の上表面をガイドとしてディスク挿入口１ｃに挿入する際、ディスク２００の周縁部のみが蓋体２の上表面に接触し、それ以外の部分は蓋体２に接触しないようにすることができる。従って、ディスク２００に傷が付くことを抑えることができる。
【００５７】
また、シャーシ部材４４には、軸孔４４ｂが形成されると共に、図６に示すように連結ロッド４１を摺動可能に保持する軸受部４４ｃが形成されている。軸受部４４ｃは、ガイド部４４ｆを備え、当該ガイド部４４ｆに連結ロッド４１の垂直板部分が摺動自在に嵌合されている。軸受部４４ｃの上部に形成された軸孔４４ｂには、蓋開閉ギア４５と蓋開閉アーム４６とねじりコイルばね４７とにより構成される蓋開閉ギアブロック１５０（図５参照）が固定ワッシャ４８とギア軸４９とにより取り付けられている。より具体的には、ギア軸４９は、軸孔４４ｂに挿入固定され、ねじりコイルばね４７、蓋開閉アーム４６、蓋開閉ギア４５を貫通して、その先端部に固定ワッシャ４８が固定されている。ねじりコイルばね４７、蓋開閉アーム４６、及び蓋開閉ギア４５は、軸受け部４４ｃと固定ワッシャ４８との間に位置し、ギア軸４９の先端部に固定ワッシャ４８が固定されることにより、ギア軸４９から抜けないように抜け止めされ、且つ回動自在になっている。
【００５８】
また、図７Ａ及び図７Ｂに示すように、蓋体２の下方で且つ蓋体２の側板部２ｄとフレーム４３の軸受板４３ａとの間には、トグルばね５０が設けられている。トグルばね５０の一方の端部５０ａは、軸受板４３ａに形成された孔４３ｃに支持されている。トグルばね５０の他方の端部５０ｂは、側板部２ｄに形成された孔２ｅに支持されている。トグルばね５０は、蓋体２が回動軸２ｂを中心として回動することにより、一方の端部５０ａを支点とし、他方の端部５０ｂを作用点として回動する。
【００５９】
また、蓋体２の下面で且つ回動軸２ｂよりも前方（図７Ａ及び図７Ｂの右側）には、アーム２ｆが形成されている。アーム２ｆは、外装フレーム１の底壁１ｅに設けられた蓋開閉検出スイッチ５１の操作レバー５１ａと接触可能に構成されている。蓋体２が閉蓋位置２Ａから開蓋位置２Ｂに移動することにより、アーム２ｆが操作レバー５１ａと接触して、蓋開閉検出スイッチ５１がオンになる。一方、蓋体２が開蓋位置２Ｂから閉蓋位置２Ａに移動するとき、アーム２ｆが操作レバー５１ａから離れて、蓋開閉検出スイッチ５１がオフになる。この蓋開閉検出スイッチ５１のオン／オフを検出することにより、蓋体２の位置を検出することが可能になる。
【００６０】
また、蓋体２のディスクドライブユニット１００側の端部の両側部には、係合部２ｇ，２ｇが設けられている。係合部２ｇ，２ｇは、蓋体２が閉蓋位置２Ａに位置するときに、シャーシ部材４４の両側部に形成された規制部４４ｄ，４４ｄと係合するように形成されている。係合部２ｇと規制部４４ｄとが係合することにより、蓋体２は、閉蓋位置２Ａで保持される。
【００６１】
また、図５及び図６に示すように、シャーシ部材４４には、収納部４４ｅが形成されている。この収納部４４ｅには、緩衝体５２が収納されている。緩衝体５２は、蓋体２が開蓋位置２Ｂに位置するときに、その上部５２ａが蓋体２の下面と当接するように設けられている。この構成により、蓋体２が閉蓋位置２Ａから開蓋位置２Ｂに移動するときに発生する衝撃音が和らげられるようにしている。また、図７Ａ及び図７Ｂに示すように、前述したシャーシ部材４４の規制部４４ｄには、収納部４４ｇが形成されている。この収納部４４ｇには、緩衝体４４ｈが配置されている。この構成により、蓋体２が開蓋位置２Ｂから閉蓋位置２Ａに移動するときに発生する衝撃音が和らげられるようにしている。
【００６２】
また、図７Ａ及び図７Ｂに示すように、蓋体２の内歯ギア２ｃは、蓋開閉ギア４５と噛み合うように構成されている。蓋体２が閉蓋位置２Ａから開蓋位置２Ｂに移動するとき、蓋体２の内歯ギア２ｃを介して蓋開閉ギア４５が回動される。一方、蓋体２が開蓋位置２Ｂから閉蓋位置２Ａに移動するとき、蓋開閉ギア４５が回動することによって、蓋体２が回動軸２ｂを中心として回動する。
【００６３】
図８Ａに示すように、蓋開閉ギア４５には、ギア部４５ａと、一方のギア端部４５ａ−１と、他方のギア端部４５ａ−２と、軸孔４５ｂと、アーム嵌合軸部４５ｃと、ばね係合部４５ｄとが形成されている。また、蓋開閉アーム４６には、アーム部４６ａと、蓋開閉ギア４５のアーム嵌合軸部４５ｃが嵌合する軸孔４６ｂと、ばね係合部４６ｃとが形成されている。ねじりコイルばね４７は、蓋開閉ギア４５のばね係合部４５ｄと、蓋開閉アーム４６のばね係合部４６ｃとに所定（微小）のトルクが掛けられた状態で係合している。
【００６４】
蓋開閉アーム４６は、通常、蓋開閉ギア４５に対して、ねじりコイルばね４７の付勢力により図８Ｂにおける矢印Ｂ５方向に付勢され、アーム部４６ａがギア端部４５ａ−１に当接した状態で保持されている。この保持状態で蓋開閉アーム４６のアーム部４６ａに矢印Ｂ５方向とは逆の矢印Ｂ６方向にねじりコイルばね４７の付勢力以上の負荷が加えられると、アーム部４６ａがねじりコイルばね４７の付勢力に抗して蓋開閉ギア４５に対して矢印Ｂ６方向に相対的に回動し、図８Ｂに示すように、アーム部４６ａはギア端部４５ａ−１への当接状態から離れる。このとき、アーム部４６ａは、ギア端部４５ａ−２に当接するまで回動可能である。
【００６５】
また、トグルばね５０は、図７Ａに示すように、作用点である端部５０ｂが蓋体２の回動軸２ｂと端部５０ａとを通る直線Ｌ１より上方に位置するとき、蓋体２を矢印Ｂ１方向（閉じる方向）に付勢する。このトグルばね５０の付勢力により、蓋体２は、閉蓋位置２Ａで保持される。この状態において、蓋体２の上表面は、前面壁１ａの表面とほぼ面一となる。また、トグルばね５０は、図７Ｂに示すように、作用点である端部５０ｂが直線Ｌ１より下方に位置するとき、蓋体２を矢印Ｂ２方向（開く方向）に付勢する。このトグルバネ５０の付勢力により、蓋体２は、開蓋位置２Ｂで保持される。この状態においては、シャーシ部材４４に形成したディスク挿入孔４４ａ（すなわち、ディスク挿入口１ｃ）が外部に露出し、ディスク２００をディスクドライブユニット１００に挿入することができる。すなわち、トグルばね５０は、蓋体２の側板部２ｄとフレーム４３の軸受板４３ａとの間で、蓋体２の開閉に連動してその作用方向が反転されることにより、蓋体２が閉蓋位置２Ａ又は開蓋位置２Ｂのいずれかに位置する状態で、その状態を保持する保持機構として機能する。
【００６６】
蓋体２の開蓋位置２Ｂから閉蓋位置２Ａへの移動は、蓋体２の回動軸２ｂよりもディスク挿入孔４４ａから離れた部分を、トグルばね５０の矢印Ｂ２方向の付勢力に抗して、手指により矢印Ｂ３方向に押圧することにより行うことができる。当該押圧により、作用点である端部５０ｂが直線Ｌ１より上方に移動すると、トグルばね５０の付勢力が作用する方向が、矢印Ｂ２方向から矢印Ｂ１方向に反転する。これにより、蓋体２は、図７Ａに示すように、閉蓋位置２Ａで保持される。
【００６７】
次に、図１０〜図１２を用いて、筐体１０１内に挿入されたディスク２００を再生可能位置まで搬送するディスク搬送動作について説明する。図１０〜図１２は、ディスク２００の搬送状態を示す上面図である。
【００６８】
図１０は、筐体１０１内にディスク２００を挿入した直後の状態を示している。このとき、ディスク２００は、右側の一対のゴムローラ６ａ，６ｂ及び左側の一対のゴムローラ６ｃ，６ｄに当接している。また、このとき、ローラアーム７ｂに設けられたディスク検出レバー２９がディスク２００に押圧されて回動することにより、検出スイッチ２７ａが作動し、ディスク挿入口１ｃを通じてディスク２００が挿入されたことを検出する。検出スイッチ２７ａが作動すると、モータ９が駆動を開始する。モータ９の駆動力は、ギア列１０及びギア列８を介して、ゴムローラ６ａ，６ｂに伝達される。これにより、ゴムローラ６ａ，６ｂが矢印Ａ３方向に回動し、ゴムローラ６ｂの回転駆動力及び摩擦力と、当該ゴムローラ６ｂとディスク２００を挟んで対向する回転しないゴムローラ６ｄの摩擦力とによって、ディスク２００がゴムローラ６ｄ（より詳細にはディスク２００との当接部）を回動中心として矢印Ａ４方向に回動する。この矢印Ａ４方向の回動により、ディスク２００は、矢印Ａ１方向に搬送される。
【００６９】
図１０に示す状態から、ディスク２００が矢印Ａ１方向に搬送されると、当該ディスク２００によってゴムローラ６ｂとゴムローラ６ｄとの間が押し広げられる。これにより、図１６Ａ及び図１６Ｂに示すねじりコイルばね７ａ−２，７ｂ−２の付勢力に抗して、ローラアーム７ａが矢印Ａ５方向に回動し、ローラアーム７ｂが矢印Ａ６方向に回動する。すなわち、一対のローラアーム７ａ，７ｂは、互いに遠ざかる方向（開く方向）に回動する。このローラアーム７ａ，７ｂの回動により、ゴムローラ６ａ，６ｃが、一旦、ディスク２００の周縁部から離れる。その後、ディスク２００が更に矢印Ａ１方向に搬送され、ディスク２００の左右最大径であるディスク２００の中心部がゴムローラ６ｂ，６ｄ間を通り過ぎると、図１６Ａ及び図１６Ｂに示すねじりコイルばね７ａ−２，７ｂ−２の付勢力により、ローラアーム７ａが矢印Ａ７方向に回動し、ローラアーム７ｂが矢印Ａ８方向に回動する。すなわち、一対のローラアーム７ａ，７ｂは、互いに近づく方向（閉じる方向）に回動する。これにより、ゴムローラ６ａ，６ｃは、再び、ディスク２００の周縁部と当接することとなり、図１１に示す状態となる。
【００７０】
図１１は、ゴムローラ６ａ〜６ｄの全てがディスク２００と当接した状態を示しているが、この状態から更にディスク２００が矢印Ａ１方向に搬送されることにより、図１２に示すディスク２００が再生可能位置まで搬送された状態となる。ディスク２００は、筐体１０１内に挿入された直後のディスク位置２００ａ（図１０参照）から、再生可能なディスク位置２００ｃ（図１２参照）まで搬送される過程で、図１１に示すディスク位置２００ｂを通過する。このディスク位置２００ｂは、ディスク２００の回転力が、ゴムローラ６ｂ，６ｄから伝達されるのに代えてゴムローラ６ａ，６ｃから伝達されるように切り換えられる位置である。すなわち、このディスク位置２００ｂからディスク位置２００ｃまでは、ディスク２００は、ゴムローラ６ａの回転駆動力によって、ゴムローラ６ｃの回動中心として矢印Ａ４方向に回動する。このゴムローラ６ｃを回動中心とする矢印Ａ４方向の回動により、ディスク２００は、更に矢印Ａ１方向に搬送され、ディスク２００が図１２に示すディスク位置２００ｃまで搬送される。この位置でディスク２００の搬送動作は終了する。
【００７１】
ディスク２００が図１２に示す位置、すなわちターンテーブル１３に対向するディスク再生可能な位置まで搬送されると、トリガレバー２５によってディスク２００の搬送完了位置、すなわち前述のディスク位置２００ｃが検出される。この図１２に示すディスク位置２００ｃにおいて、トリガレバー２５の作用により、モータ９による駆動力の伝達が、ディスク２００の搬送駆動からスライドカム部材１６，１８の駆動に切り換えられ、ディスク装着のクランプ動作が行われる。そのトリガレバー２５による切換の状態を示すのが図１３及び図１４である。
【００７２】
次に、図１３及び図１４を用いて、ディスク搬送動作からディスク装着動作への切り換えに時におけるガイドレバー２６、センタリング部材２４、トリガレバー２５、及びスライドカム部材１６の動作について説明する。図１３及び図１４は、ディスク搬送動作時におけるガイドレバー２６、センタリング部材２４、トリガレバー２５、及びスライドカム部材１６の位置関係を示す上面図である。なお、これらの図においては、便宜上、一部を透過図で示している。
【００７３】
ディスク２００がディスク挿入口１ｃを通じて挿入され矢印Ａ１方向に搬送されると、まず、ディスク２００の先端部の近傍がガイドレバー２６の位置決め用ガイド２６ｂに当接して、ディスク２００の厚み方向の高さ位置が位置決めされる。この状態で更にディスク２００が矢印Ａ１方向に搬送されると、ディスク２００が回動軸２６ａを中心としてガイドレバー２６を回動させる。その後、ディスク２００は、センタリング部材２４の位置決め当接部２４ａ，２４ｂに当接し、当該センタリング部材２４によって左右方向の位置を位置決めされる（すなわち、センタリングされる）。この状態で更にディスク２００が矢印Ａ１方向に搬送されると、ディスク２００がセンタリング部材２４を矢印Ａ１方向に移動させる。このセンタリング部材２４の移動により、センタリング部材２４に設けられたガイドカム２４ｅに回動軸部２５ｃが係合するトリガレバー２５は、回動軸部２５ｃがガイドカム２４ｅの第１の直線部２４ｅ−１から傾斜カム部２４ｅ−２、第２の直線部２４ｅ−３へとガイドされ、傾斜カム部２４ｅ−２にガイドされる際にその全体がスライドカム部材１６に近づく方向に移動する。なお、トリガレバー２５の回動軸部２５ｃは、矢印Ａ１及びＡ２方向に移動しないように設けられている。トリガレバー２５の前記移動により、トリガレバー２５のスライドカム押圧部２５ｂとスライドカム部材１６の第１係合部１６ｂとの係合が外れる。この状態で更にディスク２００が矢印Ａ１方向に搬送されると、ディスク２００がトリガレバー２５のディスク当接部２５ａに当接してトリガレバー２５を押圧する。これにより、トリガレバー２５が回動軸部２５ｃを中心として矢印Ａ１０方向に回動し、図１３に示す状態になる。このとき、トリガレバー２５のスライドカム押圧部２５ｂは、スライドカム部材１６の第２係合部１６ｃと当接する。この状態は、搬送されたディスク２００が再生可能位置に搬送されたことを、トリガレバー２５が検出した状態であるが、この時、スライドカム部材１６のラック３０とピニオン１０ｇは、まだ噛み合っていない状態にある。
【００７４】
図１３に示す状態から更にディスク２００が矢印Ａ１方向に搬送されると、ディスク２０によりディスク当接部２５ａを押圧されたトリガレバー２５が回動軸部２５ｃを中心として矢印Ａ１０方向に更に回動する。これにより、トリガレバー２５のスライドカム押圧部２５ｂがスライドカム部材１６の第２係合部１６ｃを押圧し、スライドカム部材１６が矢印Ａ２方向に若干摺動する。これにより、図１４に示すように、スライドカム部材１６のラック３０がピニオン１０ｇと噛み合い、スライドカム部材１６がモータ９の駆動力により直接駆動されるようになる。すなわち、ディスク２００の搬送動作が完了し、ディスク装着動作が開始される。
【００７５】
なお、図１４に示す状態は、ディスク２００が再生可能位置まで搬送された状態である。この図１４に示す状態では、モータ９の駆動力がピニオン１０ｇに伝達され、ピニオン１０ｇが回転している。このため、ピニオン１０ｇと噛み合うラック３０が駆動され、スライドカム部材１６が更に矢印Ａ２方向に摺動する。この摺動に伴い、スライドカム部材１６にリンクアーム１７を介して連結されているスライドカム部材１８が、矢印Ａ１方向に摺動する。このスライドカム部材１６，１８の互いに逆方向の摺動により、前述したように、ディスク２００のターンテーブル１３上への装着動作が行われる。
【００７６】
なお、ディスク２００の搬送動作から装着動作への切換の過程で、トリガレバー２５のディスク当接部２５ａなどのディスク２００と当接している部分は、スライドカム部材１６，１８の移動に連動して、ディスク２００から離れるようにしている。これにより、ディスク２００の装着動作に支障が無いようになっている。
【００７７】
次に、ディスク２００の排出時の動作について説明する。ディスク２００の排出を行うためには、まず、再生可能な状態にあるディスク２００のクランプ状態を解除し、引き続いてトラバース１５の下降動作を行って、ディスク２００の搬送が可能な状態にする必要がある。ここでは、この説明を省略し、ディスク２００が、図１２に示すディスク位置２００ｃに位置し、クランプ状態を解除され、且つゴムローラ６ａ，６ｃによって挟持されているものとして説明を始める。
【００７８】
まず、モータ９がクランプ状態解除のため既に逆駆動されていることにより、ゴムローラ６ａ，６ｂがディスク２００の搬入時とは逆方向に回転する。これにより、ディスク２００がゴムローラ６ｃを回動中心として、ディスク２００を矢印Ａ４方向とは逆方向に回転する。この矢印Ａ４方向とは逆方向への回動により、ディスク２００は、矢印Ａ１方向とは逆方向（すなわち矢印Ａ２方向）に搬送される。
【００７９】
矢印Ａ１方向とは逆方向の搬送により、ディスク２００が図１１に示すディスク位置２００ｂに達すると、ディスク２００の回動力が、ゴムローラ６ａ，６ｃから伝達されるのに代えてゴムローラ６ｂ，６ｄから伝達されるように切り換えられる。これにより、ディスク２００は、ゴムローラ６ｄを回動中心として矢印Ａ４方向とは逆方向に回動する。この矢印Ａ４方向とは逆方向の回動により、ディスク２００は、更に矢印Ａ１方向とは逆方向に搬送される。この矢印Ａ１方向とは逆方向の搬送によりディスク２００が図１０に示すディスク位置２００ａまで搬送されたことを検出スイッチ２７ｂが検出すると、モータ９が駆動を停止する。これにより、ディスク２００の排出動作が完了する。
【００８０】
なお、図１０に示すディスク位置２００ａまで排出されたディスク２００は、ユーザの手指によって取り出しが可能となる。また、このとき、ディスク２００は、ゴムローラ６ａ〜６ｄによる挟持力及び摩擦力と、防塵カバー３の弾性力及び摩擦力とにより、開口部１０１ａから筐体１０１の外部へ飛び出すことなく保持される。
【００８１】
次に、図１７Ａ〜図２０を用いて、ターンテーブル１３を昇降動作させる構成について説明する。
【００８２】
図１７Ａ及び図１７Ｂは、ターンテーブル１３が下降した状態（ディスク２００が挿入されていない待機状態）にあるときの中間シャーシ１９とスライドカム部材１６，１８との位置関係を示す斜視図である。図１８は、ターンテーブル１３が下降した状態にあるときのスライドカム部材１６，１８とリンクアーム１７との位置関係を示す上面図である。この状態では、スライドカム部材１６は、図３を用いて前述したようにバネ１６ｊにより矢印Ａ１方向に付勢されている。このスライドカム部材１６は、リンクアーム１７を介してスライドカム部材１８と連結されている。リンクアーム１７は、回動軸１７ａを中心として回動自在に設けられている。このため、スライドカム部材１８は、バネ１６ｊにより、スライドカム部材１６とは逆向きの矢印Ａ２方向に付勢されている。従って、スライドカム部材１８に接続された連結ロッド４１も、矢印Ａ２方向に付勢されている。これにより、連結ロッド４１は、図５に示すように、ディスクドライブユニット１００の筐体１０１に形成された切欠部４２を通じて前方に突出した状態で保持されている。
【００８３】
スライドカム部材１８には、図１８に示すように、検出スイッチ２７ｃと当接可能な突出部１８ｂが形成されている。突出部１８ｂは、ディスク２００が再生可能位置に搬送されて、スライドカム部材１８が矢印Ａ１方向に摺動した際、検出スイッチ２７ｃに当接し、検出スイッチ２７ｃを作動させるものである。
【００８４】
なお、図１７Ａ，図１７Ｂ、及び図１８に示す状態は、前述したように、ディスク２００が再生可能位置に搬送され、トリガレバー２５のスライドカム押圧部２５ｂによりスライドカム部材１６が押圧されてラック３０がピニオン１０ｇに噛み合い、スライドカム部材１６が矢印Ａ２方向に摺動を開始するまで継続される。スライドカム部材１６が矢印Ａ２方向に摺動するとともに、スライドカム部材１８が矢印Ａ１方向に摺動することにより、中間シャーシ１９の係合ピン１９ｃ，１９ｄが昇降カム１６ａ，１８ａに沿って移動する。これにより、中間シャーシ１９の前部が上昇してターンテーブル１３が上昇し、ディスク２００がターンテーブル１３とクランパ２１との間に挟持される。その後、前述したスライドカム部材１８の突出部１８ｂが検出スイッチ２７ｃに当接することにより、モータ９の駆動が停止される。これにより、ディスク２００の装着完了状態となり、図１９Ａ，図１９Ｂ及び図２０に示す状態となる。
【００８５】
図１９Ａ及び図１９Ｂは、ターンテーブル１３が上昇した状態（ディスク２００の装着完了状態）にあるときの中間シャーシ１９とスライドカム部材１６，１８との位置関係を示す斜視図である。図２０は、ターンテーブル１３が上昇した状態にあるときのスライドカム部材１６とスライドカム部材１８とリンクアーム１７の位置関係を示す上面図である。なお、このとき、ラック３０とピニオン１０ｇとは、噛み合ったままである。この状態において、連結ロッド４１は、バネ１６ｊ（図３参照）の付勢力に抗してラック３０とピニオン１０ｇの噛み合いにより保持された状態となっている。このため、連結ロッド４１は、ディスクドライブユニット１００の前方への突出量が最も少ない位置に位置している。また、この状態は、ディスク２００の排出のために、モータ９が逆駆動され、ピニオン１０ｇを介してラック３０を駆動し、スライドカム部材１６がディスク２００の装着時とは逆方向である矢印Ａ１方向に摺動を開始するまで維持される。
【００８６】
次に、図２１Ａ〜図２４Ｂを用いて、蓋体２の開閉動作と連結ロッド４１の移動との関係について説明する。
【００８７】
図２１Ａは、蓋体２が閉蓋位置２Ａに位置するときの蓋体２に関連する部品の位置関係を示している。図２１Ａに示す状態において、ディスク２００は、ターンテーブル１３上に装着されていない状態にある。蓋体２は、トグルばね５０によって矢印Ｂ１方向に付勢されて閉蓋位置２Ａで保持されている。蓋開閉検出スイッチ５１は、操作レバー５１ａとアーム２ｆとが接触せず、オフ状態にある。連結ロッド４１は、ディスクドライブユニット１００の前方へ最も突出した位置に位置する。突起部４１ａは、蓋開閉ギア４５よりもディスクドライブユニット１００の前方（回動軸２ｂ側）に位置している。
【００８８】
図２１Ａに示す状態で、蓋体２の凹部２ａを矢印Ｂ２方向に押圧すると、蓋体２が回動軸２ｂを中心として矢印Ｂ２方向に回動する。これにより、蓋体２に設けられた内歯ギア２ｃが蓋開閉ギア４５のギア部４５ａと噛み合い、蓋開閉ギア４５がギア軸４９を中心として回動する。また、蓋体２の矢印Ｂ２方向の回動に伴い、蓋体２の側板部２ｄに支持されたトグルばね５０の端部５０ｂが下方に移動する。これにより、トグルばね５０の端部５０ｂが回動軸２ｂと端部５０ａとを通る直線Ｌより下方になるタイミングで、トグルばね５０が蓋体２を付勢する方向が反転する。すなわち、蓋体２は、トグルばね５０によって矢印Ｂ１方向とは反対方向に付勢される。このトグルばね５０の付勢力により、蓋体２が図２１Ｂに示す開蓋位置２Ｂで保持される。
【００８９】
図２１Ｂは、蓋体２が開蓋位置２Ｂに位置するときの蓋体２に関連する部品の位置関係を示している。図２１Ａに示す状態から図２１Ｂに示す状態まで移行する際、蓋体２は、前述した緩衝体５２（図５参照）に当接する。これにより、衝撃音が緩和される。
【００９０】
図２１Ｂに示す状態において、蓋開閉ギア４５に嵌合された蓋開閉アーム４６のアーム部４６ａは、連結ロッド４１の突起部４１ａの移動軌跡上に位置する。蓋開閉検出スイッチ５１は、操作レバー５１ａがアーム２ｆと接触してオン状態にある。ディスク挿入孔４４ａは、外部に露出し、ディスク２００を挿入可能な状態となっている。
【００９１】
図２２Ａは、蓋体２が開蓋位置２Ｂに位置する状態で、ディスク挿入孔４４ａにディスク２００を挿入した状態を示している。図２２Ａに示す状態は、前述した図１０に示す状態と対応している。図２２Ａに示す状態において、ディスク２００は、前述したゴムローラ６ａ〜６ｄと防塵カバー３を構成する弾性シート３ａとに支持され、蓋体２の上表面と非接触の状態にある。ディスク２００がディスク挿入孔４４ａを通じてディスクドライブユニット１００内の挿入されたことを検出スイッチ２７ａが検出すると、モータ９を駆動する。これにより、ディスク２００の矢印Ａ１方向への搬入動作が行われる。
【００９２】
ディスク２００が再生可能位置まで搬送されると、モータ９の駆動力がディスク搬送機構に代えてディスク装着機構に伝達される。これにより、スライドカム部材１８に設けられた連結ロッド４１が矢印Ａ１方向に移動する。この連結ロッド４１の移動の過程で、突起部４１ａが、蓋開閉ギア４５のギア部４５ａの一方のギア端部４５ａ−１に当接している蓋開閉アーム４６のアーム部４６ａに当接することになる。
【００９３】
図２２Ｂは、連結ロッド４１の突起部４１ａが蓋開閉アーム４６のアーム部４６ａに当接し、当該アーム部４６ａと共に蓋開閉ギア４５が回動している途中の状態を示している。蓋開閉ギア４５の回動により、内歯ギア２ｃで蓋開閉ギア４５のギア部４５ａと噛み合う蓋体２が、矢印Ｂ１方向に回動する。
【００９４】
図２２Ｂに示す状態から更に連結ロッド４１が矢印Ａ１方向に移動すると、蓋開閉ギア４５が更に回動し、蓋体２が更に矢印Ｂ１方向に回動する。この蓋体２の回動により、蓋体２の側板部２ｄに支持されたトグルばね５０の端部５０ｂが直線Ｌ１より上方に移動し、トグルばね５０が蓋体２を付勢する方向が反転する。すなわち、蓋体２は、トグルばね５０によって矢印Ｂ１方向に付勢される。これにより、蓋体２は、更に矢印Ｂ１方向に回動する。蓋体２の係合部２ｇが規制部４４ｄに設けられた緩衝体４４ｈに当接すると、蓋体２が閉蓋位置２Ａで保持される図２３Ａの状態となる。このとき、緩衝体４４ｈが緩衝音を緩和する。なお、突起部４１ａがアーム部４６ａに当接して蓋開閉ギア４５を回動させる範囲は、少なくとも、トグルばね５０の端部５０ｂが直線Ｌより上方に移動するまで蓋体２を回動させることができるように設定する必要がある。
【００９５】
図２３Ａは、蓋体２が閉蓋位置２Ａで保持された状態を示している。図２３Ａに示す閉蓋状態は、図２１Ａに示す閉蓋状態に対して、連結ロッド４１が矢印Ａ１方向に移動し、突起部４１ａが蓋開閉ギア４５よりもディスクドライブユニット１００側に位置している点で異なる。図２３Ａに示す状態のとき、ディスク２００は、ディスクドライブユニット１００のターンテーブル１３上に装着されている。
【００９６】
図２３Ａに示す状態で、蓋体２の凹部２ａを矢印Ｂ２方向に押圧すると、蓋体２が回動軸２ｂを中心として矢印Ｂ２方向に回動する。これにより、蓋体２に設けられた内歯ギア２ｃが蓋開閉ギア４５のギア部４５ａと噛み合い、蓋開閉ギア４５がギア軸４９を中心として回動する。また、蓋体２の矢印Ｂ２方向の回動に伴い、蓋体２の側板部２ｄに支持されたトグルばね５０の端部５０ｂが下方に移動する。これにより、トグルばね５０が蓋体２を付勢する方向が、端部５０ｂが直線Ｌより下方になるタイミングで反転する。すなわち、蓋体２は、トグルばね５０によって矢印Ｂ２方向に付勢される。これにより、蓋体２が図２３Ｂの状態となり開蓋位置２Ｂで保持される。
【００９７】
図２３Ｂは、蓋体２が開蓋位置２Ｂで保持された状態を示している。図２３Ａに示す状態から図２３Ｂに示す状態へ移行する過程で、蓋体２のアーム部２ｆが操作レバー５１ａに接触して、蓋開閉検出スイッチ５１がオンされる。蓋開閉検出スイッチ５１は、ディスク２００の排出のためのイジェクトスイッチとしての機能を有する。すなわち、蓋開閉スイッチ５１がオンされることにより、ディスクドライブユニット１００のモータ９が駆動され、ディスク２００の排出動作が行われるようになっている。このように設定されているのは、以下の理由による。
【００９８】
すなわち、ユーザが蓋体２を閉蓋位置２Ａから開蓋位置２Ｂに移動させるのは、ディスク２００を取り出したい場合、又は新たなディスク２００を挿入したい場合のいずれかである。いずれの場合も、図２３Ａに示す状態（すなわち、ディスク２００がターンテーブル１３上に装着され、連結ロッド４１が矢印Ａ１方向に移動している状態）においては、ディスクドライブユニット１００内のディスク２００を排出（イジェクト）する必要がある。このため、ユーザが蓋体２を閉蓋位置２Ａから開蓋位置２Ｂに移動させたときに自動的にディスク２００の排出動作が行われるようにすることが好ましい。そこで、蓋体２の開蓋位置２Ｂへの移動に連動して蓋検出スイッチ５１をオン状態にし、自動的に、ディスク２００の排出動作が行われるようにしている。
【００９９】
図２３Ｂに示す状態から、ディスク２００の排出動作が開始されると、前述したように、スライドカム部材１８と共に連結ロッド４１が矢印Ａ２方向に移動する。この連結ロッド４１の移動に伴い、連結ロッド４１の突起部４１ａが、蓋開閉アーム４６のアーム部４６ａに当接する。
【０１００】
図２４Ａの状態は、連結ロッド４１の突起部４１ａが蓋開閉アーム４６のアーム部４６ａと当接し、当該アーム部４６ａのみが回動している状態を示している。図２４Ａに示すように、連結ロッド４１の矢印Ａ２方向の移動により、アーム部４６ａと突起部４１ａとが当接する。一方、蓋開閉ギア４５は、トグルばね５０により矢印Ｂ２方向に付勢された蓋体２の内歯ギア２ｃと噛み合っているので回動しない。このため、蓋開閉アーム４６のアーム部４６ａは、ねじりコイルばね４７（図５，図８Ａ参照）による矢印Ｂ５方向の付勢力に抗して矢印Ｂ６方向に回動する。すなわち、連結ロッド４１の突起部４１ａは、蓋開閉ギア４５を回動させることなく、アーム部４６ａを回動させて、矢印Ａ２方向に移動する。この連結ロッド４１の移動は、スライドカム部材１８の矢印Ａ２方向への移動が停止し、ディスク２００のクランプ状態が解除される位置で停止する。その後、ディスク２００はディスク搬送機構により搬送され、ディスク２００は蓋体２上に排出される。その排出された状態が、図２４Ｂの状態である。
【０１０１】
図２４Ｂは、ディスク２００の排出動作が完了した状態を示している。図２４Ｂに示す状態では、連結ロッド４１は、ディスクドライブユニット１００の前方で最も突出した位置の状態で停止している。また、ディスク２００は、図１０に示す状態にある。すなわち、ディスク２００は、ゴムローラ６ａ〜６ｄと防塵カバー３を構成する弾性シート３ａとに支持され、蓋体２の上表面と非接触の状態にある。また、ディスク２００の中央に形成された孔は、蓋体２の凹部２ａと対向するように位置する。従って、ユーザは、ディスク２００の中央に形成された孔に手指を挿入することにより、ディスク２００を容易に抜き取ることができる。
【０１０２】
なお、図２４Ｂに示す状態から蓋体２の閉蓋位置２Ａに移動させるには、蓋体２の回動軸２ｂよりもディスク挿入孔４４ａから離れた部分を矢印Ｂ３方向に押圧することにより行うことができる。
【０１０３】
次に、蓋開閉アーム４６を含む蓋開閉ブロック１５０の機能に着目して説明する。
【０１０４】
まず、ディスク２００が装着されていない閉蓋状態で、ディスク２００を挿入する際には、一旦、手動で開蓋状態としてディスク２００を挿入し、そのディスク２００の装着に連動して自動で閉蓋状態に切り換えることができる。すなわち、図２１Ａ，図２１Ｂ，図２２Ａ，図２２Ｂ、及び図２３Ａを用いて前述したように、ディスク２００がディスクドライブユニット１００内に挿入されターンテーブル１３上に装着されるとき、連結ロッド４１が矢印Ａ１方向に移動する。この連結ロッド４１の移動の過程で、蓋開閉アーム４６のアーム部４６ａが突起部４１ａに当接して回動する。このアーム部４６ａの回動に伴い、蓋開閉ギア４５が回動し、当該蓋開閉ギア４５と噛み合う内歯ギア２ｃから蓋開閉ギア４５の回動力を受けて、開蓋位置２Ｂにある蓋体２が回動軸２ｂを中心に回動する。この回動により保持機構を構成するトグルばね５０の作用点を支持する側板部２ｄも回動する。これにより、トグルばね５０の蓋体２に対する付勢力が閉蓋方向に切り換えられ、蓋体２は閉蓋位置２Ａに移動して保持される。
【０１０５】
一方、ディスク２００がターンテーブル１３上に装着されている閉蓋状態で、ディスク２００を排出する際には、一旦、手動で開蓋状態とすることにより、ディスク２００を排出することができるが、この際には閉蓋状態に切り換えることができない。すなわち、図２３Ａ，図２３Ｂ，図２４Ａ及び図２４Ｂを用いて前述したように、ターンテーブル１３上に装着されたディスク２００を排出するとき、連結ロッド４１が矢印Ａ２方向に移動する。この連結ロッド４１の移動の過程で、蓋開閉アーム４６のアーム部４６ａが突起部４１ａに当接して回動する。このとき、蓋開閉ギア４５は、トグルばね５０により矢印Ｂ２方向に付勢された蓋体２の内歯ギア２ｃと噛み合っているので回動しない。すなわち、蓋開閉アーム４６は、蓋開閉ギア４５に対して空転する。従って、蓋体２は、閉蓋状態に切り換えられることなく、保持機構を構成するトグルばね５０の付勢力によって開蓋位置２Ｂで保持される。
【０１０６】
すなわち、蓋開閉アーム４６を含む蓋開閉ブロック１５０は、ディスク２００の挿入と排出に関連し、手動で一旦、閉蓋位置２Ａから開蓋位置２Ｂに移動された蓋体２を、閉蓋位置２Ａに移動させるように機能する場合と、閉蓋位置２Ａに移動させないように機能する場合とがある。言い換えれば、蓋開閉アーム４６は、ディスク２００の挿入（装着動作）時に連結ロッド４１が矢印Ａ１方向に移動するときだけ蓋開閉ギア４５に回動力を伝達して、蓋体２を閉蓋するように作用する。また、ディスク２００の排出（装着解除動作）時に連結ロッド４１が矢印Ａ２方向に移動するときには、蓋開閉アーム４６は空転し、蓋体２は閉蓋されることなく開蓋状態を維持する。このように、蓋開閉アーム４６を含む蓋開閉ブロック１５０は、蓋体２が同じように手動で開蓋された場合であっても、ディスク２００挿入時のみ連動して閉蓋状態に切り換える、いわゆる１ウェイクラッチとしての機能を有している。
【０１０７】
次に、図２５Ａ及び図２５Ｂを用いて、ディスク２００と蓋体２との位置関係について説明する。
【０１０８】
図２５Ａは、ディスク２００と蓋体２とが接触した状態を示している。図２５Ａに示すように、蓋体２の上表面は、ディスクの挿入方向に対する左右方向において、緩やかな凹状に湾曲している。これにより、ディスク２００を蓋体２の上表面をガイドとしてディスク挿入口１ｃに挿入する際、ディスク２００の周縁部のみが蓋体２の上表面に接触し、それ以外の部分は蓋体２に接触しないようにすることができる。従って、ディスク２００に傷が付くことを抑えることができる。
【０１０９】
ディスク２００が、弾性シート３ａのスリット３ｂを通じて、ディスクドライブユニット１００内に挿入されると、ディスク２００は、弾性シート３ａに支持された状態を維持して、ゴムローラ６ａ〜６ｄに当接する。
【０１１０】
図２５Ｂは、ディスク２００がゴムローラ６ａ〜６ｄと弾性シート３ａとにより支持された状態を示している。図２５Ｂに示す状態は、ディスク２００がディスクドライブユニット１００に挿入されて支持された状態であると共に、ディスクドライブユニット１００から排出された直後の状態でもあり、前述した図１０に示す平面状態と対応している。このとき、ディスク２００は、ゴムローラ６ａ〜６ｄによる挟持力及び摩擦力と、防塵カバー３の弾性力及び摩擦力とにより、ディスクドライブユニット１００の外部へ飛び出すことなく保持されている。また、ディスク２００は、蓋体２の上表面に接触することなく保持されている。従って、排出時に、ユーザは、ディスク２００を蓋体２に接触させることなく、手指により取り去ることができる。
【０１１１】
次に、図２６を用いて、本発明の第１実施形態にかかるディスク装置の制御関係の構成について説明する。図２６は、本第１実施形態にかかるディスク装置の制御関係の構成を示すブロック図である。
【０１１２】
図２６において、本第１実施形態にかかるディスク装置は、制御部５３と、検出スイッチ群５４と、搬入・搬出モータ制御回路５５と、ディスク再生機構５６とを備えている。
【０１１３】
制御部５３は、検出スイッチ群５４の検出情報に基づいて、搬入・搬出モータ制御回路５５とディスク再生機構５６とを制御する。検出スイッチ群５４は、検出スイッチＳＷ１〜ＳＷ４を備えている。検出スイッチＳＷ１は、蓋開閉検出スイッチ５１に対応している。検出スイッチＳＷ２は、ディスク挿入口１ｃを通じて挿入されたディスク２００を検出する検出スイッチ２７ａに対応している。検出スイッチＳＷ３は、ディスク２００の排出時にディスク搬送動作の終了を検出する検出スイッチ２７ｂに対応している。検出スイッチＳＷ４は、ディスク２００が再生可能位置に搬送されターンテーブル１３上に装着されたことを検出する検出スイッチ２７ｃに対応している。搬入・搬出モータ制御回路５５は、モータ９の駆動を制御する制御回路である。ディスク再生機構５６は、スピンドルモータや、トラバース駆動部、光学的な検出制御部、信号処理部等のディスク２００の再生に必要な装置を含むものである。ここでは、ディスク再生機構５６の詳細は省略する。
【０１１４】
次に、図２７を用いて、本第１実施形態にかかるディスク装置の制御フローを説明する。図２７は、本第１実施形態にかかるディスク装置の制御フローを示すフローチャートである。なお、下記制御フローは、制御部５３の制御の下で行われる。
【０１１５】
まず、ステップＳ１では、蓋体２が閉蓋位置２Ａに位置するか否かを判断する。具体的には、検出スイッチＳＷ１（蓋開閉検出スイッチ５１）がオンされたか否かを判断する。蓋体２が開蓋位置２Ｂに移動されて検出スイッチＳＷ１がオンされると、ステップＳ２に進む。
【０１１６】
ステップＳ２では、ディスク２００がターンテーブル１３上に装着されている状態か否かを判断する。具体的には、検出スイッチＳＷ４（検出スイッチ２７ｃ）がオンされた後、検出スイッチＳＷ３（検出スイッチ２７ｂ）がオンされたか否かを判断する。ディスク２００がターンテーブル１３上に装着されていない状態（図２１Ｂに示す状態）であるとき、ステップＳ３に進む。一方、ディスク２００がターンテーブル１３上に装着されている状態（図２３Ｂに示す状態）であるとき、ステップＳ９に進む。なお、ディスク２００がターンテーブル１３上に装着されている状態で、ユーザが蓋体２を開蓋位置２Ｂに移動させるのは、ディスク２００をディスクドライブユニット１００から排出したいときと考えられる。
【０１１７】
ステップＳ３では、ディス挿入口１ｃにディスク２００が挿入されたか否かを判断する。具体的には、検出スイッチＳＷ２（検出スイッチ２７ａ）がオンされたか否かを判断する。ディスク挿入口１ｃにディスク２００が挿入されていない場合、ステップＳ４に進む。一方、ディスク挿入口１ｃにディスク２００が挿入された場合、ステップＳ５に進む。
【０１１８】
ステップＳ４では、蓋体２が開蓋位置２Ｂに位置する状態が継続されているか否かを判断する。具体的には、検出スイッチＳＷ１がオフであるか否かを判断する。蓋体２の開蓋位置２Ｂに位置する状態が継続されている場合、ステップＳ３に戻る。一方、ディスク２００が挿入されることなく、蓋体２が閉蓋位置２Ａに移動された場合（図２１Ａに示す状態）、本制御フローを終了する。
【０１１９】
ステップＳ５では、ディスク挿入口１ｃから挿入されたディスク２００を再生可能位置に搬送するように、ディスク搬送機構が制御される（ディスク搬入指令）。その後、ステップＳ６に進む。
【０１２０】
ステップＳ６では、モータ９が正転駆動され、ディスク搬入動作及びディスク装着動作が行われる。その後、ステップＳ７に進む。なお、このディスク装着動作の過程で、図２２Ｂ及び図２３Ａに示すように、蓋体２が閉蓋位置２Ａへ移動する。ディスク２００がターンテーブル１３上に装着され、蓋体２が閉蓋位置２Ａに到達すると、検出スイッチＳＷ４（検出スイッチ２７ｃ）がオンされる（図２３Ａに示す状態）。
【０１２１】
ステップＳ７では、ディスク２００がターンテーブル１３上に装着されたか否かを判断する。具体的には、検出スイッチＳＷ４（検出スイッチ２７ｃ）がオンされたか否かを判断する。ディスク２００がターンテーブル１３上に装着されていないとき、ステップＳ６に戻る。一方、ディスク２００がターンテーブル１３上に装着されたとき、ステップＳ８に進む。
【０１２２】
ステップＳ８では、モータ９の駆動を停止（ディスク装着完了）させ、本制御フローを終了する。
【０１２３】
ステップＳ９では、蓋体２が開蓋位置２Ｂに位置すると共に、ディスク２００がターンテーブル１３上に装着されている状態であるとき、ディスク再生機構５６によりディスク２００が再生中であるか否かを判断する。ディスク２００が再生中であるとき、ステップＳ１０に進む。ディスク２００が再生中でないとき、ステップＳ１１に進む。
【０１２４】
ステップＳ１０では、ディスク２００の再生を停止させるように、ディスク再生機構５６が制御される（ディスク再生停止指令）。その後、ステップＳ１２に進む。
【０１２５】
ステップＳ１１では、ディスク２００をディスク挿入口１ｃから排出するように、ディスク搬送機構が制御される（ディスク排出指令）。その後、ステップＳ１２に進む。
【０１２６】
ステップＳ１２では、モータ９を反転駆動させる。これにより、ディスク排出動作が開始される。その後、ステップＳ１３に進む。なお、このディスク排出動作の過程で、図２４Ａ及び図２４Ｂに示すように、連結ロッド４１が矢印Ａ２方向に移動する。
【０１２７】
ステップＳ１３では、ディスク排出動作が完了した（図２４Ｂに示す状態）か否かを判断する。具体的には、検出スイッチＳＷ３（検出スイッチ２７ｂ）がオンされたか否かを判断する。ディスク排出動作が完了したと判断すると、ステップＳ１４に進む。
【０１２８】
ステップＳ１４では、モータ９の駆動を停止（ディスク排出完了）させ、本制御フローを終了する。なお、このとき、ディスク２００は、図２４Ｂに示すように、ゴムローラ６ａ〜６ｄと防塵カバー３を構成する弾性シート３ａとに支持され、蓋体２の上表面と非接触の状態で保持される。
【０１２９】
上述したように、蓋体２が開蓋位置２Ｂに移動されたとき、ディスク２００がターンテーブル１３上に装着されているか否かによって、その後の制御フローが異なる。ターンテーブル１３上にディスク２００が装着されていない場合には、ディスク挿入口１ｃからディスク２００を挿入すると、ディスク装着動作に連動して、蓋体２が開蓋位置２Ｂから閉蓋位置２Ａに自動的に移動されるようになっている。一方、ディスク２００がターンテーブル１３上に装着されている場合には、蓋体２の閉蓋位置２Ａから開蓋位置２Ｂへの移動に連動して、ディスク排出動作が自動的に行われるようになっている。
【０１３０】
以上、本第１実施形態によれば、外装ケース１内にディスクドライブユニット１００が収容され、外装ケース１の開口部１ｂを開閉可能に塞ぐように蓋体２が設けられているので、ディスクドライブユニット１００内への異物の侵入を防止することができる。
【０１３１】
また、本第１実施形態によれば、外装ケース１の前面壁１ａが傾斜面を有し、当該傾斜面に対して面一になるように蓋体２が構成されているので、厚みを感じさせない外観デザインを有するディスク装置を提供することができる。また、蓋体２には、特許文献２のフロントパネルのような操作ボタン等が突設されていないので、ディスク２００又は蓋体２に傷がつくことを抑えることができる。
【０１３２】
また、本第１実施形態によれば、外装ケース２の開口部１ｂの開閉を、ディスク挿入口１ｃの前方に位置する回動軸２ｂを中心として蓋体２を回動させるという簡単な構成で実現することができる。
【０１３３】
また、本第１実施形態によれば、蓋体２は、閉蓋位置２Ａに位置する状態で回動軸２ｂよりもディスク挿入口１ｃ側の部分を押圧されることにより開蓋位置２Ｂへ回動し、開蓋位置２Ｂに位置する状態で回動軸２ｂよりもディスク挿入口１ｃから離れた部分を押圧されることにより閉蓋位置２Ａへ回動するように構成されている。これにより、簡単な操作で蓋体２を閉蓋位置２Ａ又は開蓋位置２Ｂに移動させることができる。
【０１３４】
また、本第１実施形態によれば、蓋体２の上表面に、手指が入る凹部２ａが形成されているので、ユーザが手指をディスク２００の中央に設けられた孔を通じて凹部２ａに差し込むことで、ディスク２００の保持を容易に行うことができる。
【０１３５】
また、本第１実施形態にかかるディスク装置は、ディスク２００が弾性シート３ａのスリット３ｂに挿入されて弾性シート３ａに支持されると共にゴムローラ６ａ〜６ｄに挟持されたとき、ディスク２００と蓋体２とが非接触の状態になるように構成されている。これにより、ディスク２００の排出時に、ディスク２００を蓋体２に接触することなく排出することができ、ディスク２００又は蓋体２に傷がつくことを抑えることができる。
【０１３６】
また、本第１実施形態にかかるディスク装置は、閉蓋位置２Ａに移動された蓋体２を当該閉蓋位置２Ａで保持すると共に、開蓋位置２Ｂに移動された蓋体２を当該開蓋位置２Ｂで保持する保持機構と、蓋体２の開閉に関連して保持機構による保持状態を切り換える蓋開閉切換機構を有している。ここで、本第１実施形態において、保持機構は、蓋体２の側板部２ｄとフレーム４３の軸受板４３ａとの間に設けたトグルばね５０で構成され、蓋体２の閉蓋位置２Ａと開蓋位置２Ｂの両状態を、そのトグルばね５０の付勢力で保持している。また、本第１実施形態において、蓋開閉切換機構は、蓋開閉ギアブロック１５０、固定ワッシャ４８、及びギア軸４９で構成されている。しかしながら、本発明はこれに限定されるものではない。また、本第１実施形態にかかるディスク装置は、蓋体２が開蓋位置２Ｂに位置する状態において、ディスク装着機構がディスク２００をターンテーブル１３上に装着するように動作するとき、当該動作に連動して、蓋開閉切換機構により、前記保持機構が蓋体２を開蓋位置２Ｂで保持する状態から、蓋体２を閉蓋位置２Ａで保持する状態に切り換えるように構成されている。これにより、蓋体２を開蓋位置２Ｂに移動させてディスク２００をディスク挿入口１ｃに挿入するだけの簡単な操作で、ディスク２００のターンテーブル１３上への装着及び蓋体２の閉蓋位置２Ａへの移動を一連の動作として行うことができる。
【０１３７】
また、本第１実施形態にかかるディスク装置は、ディスク２００がターンテーブル１３上に装着された状態で、蓋体２が閉蓋位置２Ａから開蓋位置２Ｂへ移動されたとき、ディスク搬送機構がディスク２００をディスク挿入口１ｃに排出する一方、前記保持機構が蓋体２を開蓋位置２Ｂで保持する状態を、蓋開閉切換機構により切り換えることなく、蓋体２を開蓋位置２Ｂで保持する状態を維持するように構成されている。これにより、蓋体２を閉蓋位置２Ａから開蓋位置２Ｂに移動させるだけで、ターンテーブル１３上に装着されたディスク２００を自動的にディスク挿入口１ｃから排出することができる。また、このとき、蓋体２がディスク２００の排出を阻害しないようにすることができる。
【０１３８】
また、本第１実施形態によれば、前記蓋開閉切換機構は、１ウェイクラッチとしての蓋開閉アーム４６を備えているので、ディスク挿入時はディスク装着動作に連動して蓋体２を閉蓋位置２Ａに移動させる一方、ディスク排出時はディスク排出動作に連動せずに蓋体２を開蓋位置２Ｂで保持するという構成を容易に実現することができる。
【０１３９】
（第２実施形態）
図２８は、本発明の第２実施形態にかかるディスク装置を備えたテレビジョン受像機を示す斜視図である。
【０１４０】
図２８において、本第２実施形態にかかるディスク装置を備えたテレビジョン受像機は、テレビジョン受像機本体５８と、当該テレビジョン受像機本体５８を支持するペデスタル５７とを備えている。ペデスタル５７は、外装ケース１と同様の構成を有している。すなわち、ペデスタル５７の前面壁５７ａは、下部が前方となるように傾斜する傾斜面を有している。また、この前面壁５７ａに形成された開口部を開閉可能に塞ぐように蓋体２が設けられている。なお、図示していないが、ペデスタル５７には、ディスクドライブユニット１００が内蔵されている。
【０１４１】
本第２実施形態によれば、ペデスタル５７が外装ケース１と同様に前面壁に傾斜面を有する構成を有しているので、その前面壁の傾斜面を利用した開閉蓋を構成することにより、厚みを感じさせない外観デザインを有するディスク装置内蔵型テレビジョン受像機を提供することができる。
【０１４２】
本発明は、添付図面を参照しながら好ましい実施の形態に関連して充分に記載されているが、この技術に熟練した人々にとっては種々の変形や修正は明白である。そのような変形や修正は、添付した請求の範囲による本発明の範囲から外れない限りにおいて、その中に含まれると理解されるべきである。
【０１４３】
２０１０年１０月１３日に出願された日本国特許出願Ｎｏ．２０１０−２３０２１９号の明細書、図面、及び特許請求の範囲の開示内容は、全体として参照されて本明細書の中に取り入れられるものである。
【産業上の利用可能性】
【０１４４】
本発明のディスク装置は、異物の侵入を防止すると共に、前面壁に傾斜面を有するような外装ケースに内蔵されて、その前面壁の傾斜面を利用した開閉蓋を構成して、厚みを感じさせない外観デザインを実現することができるので、特に、テレビジョン受像機などの他の電気機器と一体化されて使用されるスロットイン方式のディスク装置として有用である。
【図１Ａ】
2012049793.tif 000003
【図１Ｂ】
2012049793.tif 000004
【図２】
2012049793.tif 000005
【図３】
2012049793.tif 000006
【図４】
2012049793.tif 000007
【図５】
2012049793.tif 000008
【図６】
2012049793.tif 000009
【図７Ａ】
2012049793.tif 000010
【図７Ｂ】
2012049793.tif 000011
【図８Ａ】
2012049793.tif 000012
【図８Ｂ】
2012049793.tif 000013
【図９Ａ】
2012049793.tif 000014
【図９Ｂ】
2012049793.tif 000015
【図１０】
2012049793.tif 000016
【図１１】
2012049793.tif 000017
【図１２】
2012049793.tif 000018
【図１３】
2012049793.tif 000019
【図１４】
2012049793.tif 000020
【図１５】
2012049793.tif 000021
【図１６Ａ】
2012049793.tif 000022
【図１６Ｂ】
2012049793.tif 000023
【図１７Ａ】
2012049793.tif 000024
【図１７Ｂ】
2012049793.tif 000025
【図１８】
2012049793.tif 000026
【図１９Ａ】
2012049793.tif 000027
【図１９Ｂ】
2012049793.tif 000028
【図２０】
2012049793.tif 000029
【図２１Ａ】
2012049793.tif 000030
【図２１Ｂ】
2012049793.tif 000031
【図２２Ａ】
2012049793.tif 000032
【図２２Ｂ】
2012049793.tif 000033
【図２３Ａ】
2012049793.tif 000034
【図２３Ｂ】
2012049793.tif 000035
【図２４Ａ】
2012049793.tif 000036
【図２４Ｂ】
2012049793.tif 000037
【図２５Ａ】
2012049793.tif 000038
【図２５Ｂ】
2012049793.tif 000039
【図２６】
2012049793.tif 000040
【図２７】
2012049793.tif 000041
【図２８】
2012049793.tif 000042
【手続補正書】
【提出日】平成25年4月2日(2013.4.2)
【手続補正１】
【補正対象書類名】明細書
【補正対象項目名】全文
【補正方法】変更
【補正の内容】
【発明の詳細な説明】
【技術分野】
【０００１】
本発明は、ＣＤやＤＶＤ、ＢＤ等のディスク状の記録媒体（以下、ディスクという）を、トレイを用いずに筐体内の再生可能位置に搬入するように構成されたスロットイン方式のディスク装置に関する。
【背景技術】
【０００２】
従来、この種のディスク装置は、通常、筐体（外部筐体）の正面に設けられたディスク挿入口を通じてディスクを筐体内へ直接挿入するように構成されている。ディスク挿入口を通じて挿入されたディスクは、ローラなどを備えるディスク搬送機構により再生可能位置に搬入される。
【０００３】
この種のディスク装置においては、ディスク挿入口が外部に露出しているため、当該ディスク挿入口を通じて塵などの異物が筐体内に侵入するおそれがある。この異物の侵入を防ぐ構成としては、例えば、特許文献１（特開２０１０−５５６７０号公報）、特許文献２（特開平９−１８０３３２号公報）、特許文献３（特開平９−３５４６４号公報）に開示されたものがある。
【０００４】
特許文献１には、ディスクを挿通可能なスリットが設けられた略防塵材をディスク挿入口に取り付けたディスク装置が開示されている。また、特許文献１のディスク装置は、ディスクが略防塵材のスリットを通過した後、当該略防塵材よりも装置内側に設けた蓋体を回動させてディスク挿入口を閉じるように構成されている。
【０００５】
また、特許文献２には、ディスク挿入口の前方にフロントパネルを配置し、当該フロントパネルを昇降させることによって、ディスク挿入口を開閉するように構成されたディスク装置が開示されている。また、特許文献２のディスク装置は、フロントパネルの下降によるディスク挿入口が開放状態にあるときに、フロントパネルの上部とディスク挿入口との段差を無くすように設けられ、ディスク挿入口へのディスクの挿入及び排出を円滑にする突出ガイドプレートを備えている。
【０００６】
また、特許文献３には、回転スライド式の蓋を回動させることでディスク挿入口を開閉するように構成されたディスク装置が開示されている。特許文献３のディスク装置は、ディスク挿入口にディスクを案内するためのガイド面部を備えると共に、ディスク挿入口を開閉する蓋の一部に補助ガイド面部を備え、ディスク挿入口が開かれたときには、蓋の補助ガイド面部とガイド面部とを合わせた広い面でディスクをディスク挿入口に案内できるように構成されている。
【先行技術文献】
【特許文献】
【０００７】
【特許文献１】特開２０１０−５５６７０号公報
【特許文献２】特開平９−１８０３３２号公報
【特許文献３】特開平９−３５４６４号公報
【発明の概要】
【発明が解決しようとする課題】
【０００８】
前述したスロットイン方式のディスク装置は、テレビジョン受像機などの他の電気機器と一体化されて使用されることが多い。この種の装置としては、例えば、テレビジョン受像機の側部にディスク装置を内蔵した装置がよく知られている。この装置においては、外観デザインを損ねないように、通常、ディスク挿入口がテレビジョン受像機の正面からは見えない位置に、例えば、前述した特許文献１のタイプのものを縦型に構成したものが設けられている。このため、ディスクをディスク挿入口に挿入する際、テレビジョン受像機の側方に回り込んでディスク挿入口の位置を確認するなどの必要性があり、扱い難いという課題がある。そこで、テレビジョン受像機のペデスタルにディスク装置を内蔵させることが検討されている。
【０００９】
ペデスタルの外観デザインは、通常、前面壁に傾斜面を有する台形状の薄型に構成されたものが多く、このペデスタルの外観形状を変えることは、テレビジョン受像機全体の外観デザインに与える影響が大きい。このため、ペデスタルの外観デザインを損ねないようにディスク装置を内蔵させる必要がある。このペデスタルにディスク装置を内蔵させると、当然ながら、ペデスタル全体の厚みをディスク装置の厚みより小さくすることはできない。また、ディスクの挿入及び排出を考慮すると、ディスク装置は、ペデスタルの前面壁の近傍に配置することが求められるが、この前面壁には前述したように傾斜面を有している。このため、ペデスタルにディスク装置を内蔵しようとすると、そのディスク装置の厚みによって、外観デザインに悪影響を及ぼすことが懸念される。
【００１０】
特許文献１のディスク装置は、ディスク挿入口が外部に露出しているので、前面壁に傾斜面を有するペデスタルにそのまま組み込むことは、外観デザイン上、好ましくない。また、特許文献１のディスク装置は、そのまま組み込んだ場合、略防塵材のスリットを通じて塵などの異物が装置内に侵入しやすいおそれがある。
【００１１】
特許文献２のディスク装置は、フロントパネルによってディスク挿入口を閉塞することができるので、より一層異物の侵入を抑えることができる。しかしながら、特許文献２のディスク装置のフロントパネルは、ディスク挿入口を閉塞した状態では垂直方向に延在している。このため、当該ディスク装置をペデスタルに内蔵した場合、ペデスタルの厚みが強調され、前述したように傾斜面を有しているペデスタルに採用する場合は、外観デザインに悪影響を及ぼすことが懸念される。
【００１２】
特許文献３のディスク装置は、回転スライド式の蓋によってディスク挿入口を閉塞することができるので、より一層異物の侵入を抑えることができる。しかしながら、特許文献３のディスク装置においては、ディスク挿入口の下方に設けられた回動軸を中心として蓋を回動させる構成であるので、ディスク装置の前面壁の外観デザインは円弧状に制限される。このため、特許文献３のディスク装置をペデスタルに内蔵した場合、ペデスタルの厚みが強調され、前述したように傾斜面を有しているペデスタルに採用する場合は、外観デザインに悪影響を及ぼすことが懸念される。
【００１３】
従って、本発明の目的は、前記問題を解決することにあって、異物の侵入を防止すると共に、前面壁に傾斜面を有するような外観デザインの外装ケースに内蔵されて、その厚みを感じさせない外観デザインを有するディスク装置を提供することにある。
【課題を解決するための手段】
【００１４】
前記目的を達成するために、本発明は以下のように構成する。
本発明によれば、ディスク挿入口から挿入されたディスクを再生可能位置に搬送するディスク搬送機構と、
前記再生可能位置に搬送されたディスクを再生可能なクランプ状態にするためにターンテーブル上に装着するディスク装着機構と、
を備えるスロットイン方式のディスク装置であって、
前記ディスク装置の外装ケースの前面壁は、前方が下方に傾斜する傾斜面を有し、
前記外装ケースの前面壁には、前記ディスク挿入口への前記ディスクの挿入を可能にする開口部が設けられると共に、前記開口部を開閉可能に塞ぐように蓋体が設けられ、
前記蓋体は、前記ディスク挿入口の前方の前記開口部の側部において前記ディスク搬送方向と直交する方向に設けた回動軸を中心として回動することにより、前記ディスク挿入口が外部に露出しないように前記傾斜面に対して面一になる閉蓋位置と、前記ディスク挿入口を外部に露出させる共に前記ディスクを前記ディスク挿入口へガイド可能な開蓋位置との間を移動するように構成されている、ディスク装置を提供する。
【発明の効果】
【００１５】
本発明によれば、前記構成を有することにより、異物の侵入を防止すると共に、前面壁に傾斜面を有するような外装ケースに内蔵されて、その前面壁の傾斜面を利用した開閉蓋を構成して、厚みを感じさせない外観デザインを有するディスク装置を提供することができる。
【図面の簡単な説明】
【００１６】
本発明のこれらと他の目的と特徴は、添付された図面についての好ましい実施の形態に関連した次の記述から明らかになる。この図面においては、
【図１Ａ】図１Ａは、本発明の第１実施形態にかかるディスク装置の斜視図であって、蓋体が閉蓋位置に位置する状態を示す図であり、
【図１Ｂ】図１Ｂは、本発明の第１実施形態にかかるディスク装置の斜視図であって、蓋体が開蓋位置に位置する状態を示す図であり、
【図２】図２は、本発明の第１実施形態にかかるディスク装置に内蔵されたディスクドライブユニットの分解斜視図であり、
【図３】図３は、図２に示すディスクドライブユニットの内部構造を示す平面図であり、
【図４】図４は、連結ロッドを設けたスライドカム部材の斜視図であり、
【図５】図５は、蓋体に関連する部品の構成を示す分解斜視図であり、
【図６】図６は、図２に示すディスクドライブユニットの前部にシャーシ部材を取り付けた状態を示す拡大斜視図であり、
【図７Ａ】図７Ａは、蓋体が閉蓋位置に位置するときの蓋体に関連する部品の構成を示す断面図であり、
【図７Ｂ】図７Ｂは、蓋体が開蓋位置に位置するときの蓋体に関連する部品の構成を示す断面図であり、
【図８Ａ】図８Ａは、蓋開閉ギアブロックの構成を示す分解斜視図であり、
【図８Ｂ】図８Ｂは、蓋開閉ギアブロックの側面図であり、
【図９Ａ】図９Ａは、ディスクドライブユニットの開口部と、シャーシ部材との位置関係を示す正面図であり、
【図９Ｂ】図９Ｂは、蓋体とディスクとの位置関係を示す断面図であり、
【図１０】図１０は、図２に示すディスクドライブユニットの内部にディスクが挿入された直後の状態を示す上面図であり、
【図１１】図１１は、図２に示すディスクドライブユニットの内部にディスクを搬送する途中の状態を示す上面図であり、
【図１２】図１２は、図２に示すディスクドライブユニットの内部の再生可能位置にディスクが搬送された状態を示す上面図であり、
【図１３】図１３は、ディスクの搬入時におけるガイドレバー、センタリング部材、トリガレバー及びスライドカム部材の位置関係を示す上面図であり、
【図１４】図１４は、図１３に示す状態から更にディスクの搬入が進行した状態を示す上面図であり、
【図１５】図１５は、一対のローラアームと一対のリンクアームとの取付状態を示す上面図であり、
【図１６Ａ】図１６Ａは、一対のローラアームが互いに近づく方向に回動した状態を示す下面図であり、
【図１６Ｂ】図１６Ｂは、一対のローラアームが互いに遠ざかる方向に回動した状態を示す下面図であり、
【図１７Ａ】図１７Ａは、ターンテーブルが下降した状態にあるときの中間シャーシと一対のスライドカム部材との位置関係を示す斜視図であり、
【図１７Ｂ】図１７Ｂは、ターンテーブルが下降した状態にあるときの中間シャーシと一対のスライドカム部材との位置関係を示す、図１７Ａとは別の角度から見た斜視図であり、
【図１８】図１８は、ターンテーブルが下降した状態にあるときのスライドカム部材とリンクアームとの位置関係を示す上面図であり、
【図１９Ａ】図１９Ａは、ターンテーブルが上昇した状態にあるときの中間シャーシと一対のスライドカム部材との位置関係を示す斜視図であり、
【図１９Ｂ】図１９Ｂは、ターンテーブルが上昇した状態にあるときの中間シャーシと一対のスライドカム部材との位置関係を示す、図１９Ａとは別の角度から見た斜視図であり、
【図２０】図２０は、ターンテーブルが上昇した状態にあるときのスライドカム部材とリンクアームとの位置関係を示す上面図であり、
【図２１Ａ】図２１Ａは、ディスクがターンテーブル上に装着されておらず、且つ蓋体が開蓋位置に位置するときの蓋体に関連する部品の位置関係を示す断面図であり、
【図２１Ｂ】図２１Ｂは、ディスクがターンテーブル上に装着されておらず、且つ蓋体が開蓋位置に位置するときの蓋体に関連する部品の位置関係を示す断面図であり、
【図２２Ａ】図２２Ａは、蓋体が開蓋位置に位置する状態で、ディスク挿入部にディスクを挿入した状態を示す断面図であり、
【図２２Ｂ】図２２Ｂは、連結ロッドの突起部が蓋開閉アームのアーム部に当接し、当該アーム部と共に蓋開閉ギアが回動している途中の状態を示す断面図であり、
【図２３Ａ】図２３Ａは、ディスクがターンテーブル上に装着され、且つ蓋体が閉蓋位置に位置するときの蓋体に関連する部品の状態を示す断面図であり、
【図２３Ｂ】図２３Ｂは、ディスクがターンテーブル上に装着され、且つ蓋体が開蓋位置に位置するときの蓋体に関連する部品の状態を示す断面図であり、
【図２４Ａ】図２４Ａは、連結ロッドの突起部が蓋開閉アームのアーム部と当接し、当該アーム部のみが回動している状態を示す断面図であり、
【図２４Ｂ】図２４Ｂは、ディスクの排出動作が完了した状態を示す断面図であり、
【図２５Ａ】図２５Ａは、ディスクと蓋体とが接触した状態を示す断面図であり、
【図２５Ｂ】図２５Ｂは、ディスクが複数のゴムローラと弾性シートとにより支持された状態を示す正面図であり、
【図２６】図２６は、本発明の第１実施形態にかかるディスク装置の制御関係の構成を示すブロック図であり、
【図２７】図２７は、本発明の第１実施形態にかかるディスク装置の制御フローを示すフローチャートであり、
【図２８】図２８は、本発明の第２実施形態にかかるディスク装置を備えたテレビジョン受像機を示す斜視図である。
【発明を実施するための形態】
【００１７】
本発明の第１態様によれば、ディスク挿入口から挿入されたディスクを再生可能位置に搬送するディスク搬送機構と、
前記再生可能位置に搬送されたディスクを再生可能なクランプ状態にするためにターンテーブル上に装着するディスク装着機構と、
を備えるスロットイン方式のディスク装置であって、
前記ディスク装置の外装ケースの前面壁は、前方が下方に傾斜する傾斜面を有し、
前記外装ケースの前面壁には、前記ディスク挿入口への前記ディスクの挿入を可能にする開口部が設けられると共に、前記開口部を開閉可能に塞ぐように蓋体が設けられ、
前記蓋体は、前記ディスク挿入口の前方の前記開口部の側部において前記ディスク搬送方向と直交する方向に設けた回動軸を中心として回動することにより、前記ディスク挿入口が外部に露出しないように前記傾斜面に対して面一になる閉蓋位置と、前記ディスク挿入口を外部に露出させる共に前記ディスクを前記ディスク挿入口へガイド可能な開蓋位置との間を移動するように構成されている、ディスク装置を提供する。
【００１８】
本発明の第２態様によれば、前記蓋体は、前記閉蓋位置に位置する状態で前記回動軸よりも前記ディスク挿入口側の部分を押圧されることにより前記開蓋位置へ回動し、前記開蓋位置に位置する状態で前記回動軸よりも前記ディスク挿入口から離れた部分を押圧されることにより前記閉蓋位置へ回動するように構成されている、第１態様に記載のディスク装置を提供する。
【００１９】
本発明の第３態様によれば、前記ディスク搬送機構は、前記再生可能位置に搬送された前記ディスクを前記ディスク挿入口へ排出可能に構成され、
前記蓋体には、前記蓋体が前記開蓋位置に位置するときに前記ディスク搬送機構により前記ディスク挿入口から排出された前記ディスクの中心に形成された孔と対向する部分に、手指が入る凹部が形成されている、第１又は２態様に記載のディスク装置を提供する。
【００２０】
本発明の第４態様によれば、前記ディスク搬送機構は、前記ディスク挿入口から挿入された前記ディスクを前記再生可能位置に搬送する複数のディスク搬送ローラを備え、
前記ディスク挿入口には、前記ディスクが通過可能なスリットが設けられた弾性シートで構成される防塵カバーが取り付けられ、
前記ディスクが前記スリットに挿入されて前記弾性シートに支持されると共に前記複数のディスク搬送ローラに挟持されたとき、前記ディスクと前記蓋体とが非接触の状態になるように構成されている、第１〜３態様に記載のディスク装置を提供する。
【００２１】
本発明の第５態様によれば、前記外装ケースは、テレビジョン受像機のペデスタルを構成する、第１〜４態様のいずれか１つに記載のディスク装置を提供する。
【００２２】
本発明の第６態様によれば、前記閉蓋位置に移動された前記蓋体を当該閉蓋位置で保持すると共に、前記開蓋位置に移動された前記蓋体を当該開蓋位置で保持する保持機構と、
前記蓋体の開閉に関連して前記保持機構による保持状態を切り換える蓋開閉切換機構と、をさらに有し、
前記蓋体が前記開蓋位置に位置する状態において、前記ディスク装着機構が前記ディスクを前記ターンテーブル上に装着するように動作するとき、当該動作に連動して、前記蓋開閉切換機構によって、前記保持機構が前記蓋体を前記開蓋位置で保持する状態から当該蓋体の閉蓋位置で保持する状態に切り換えるように構成されている、第１〜５態様のいずれか１つに記載のディスク装置を提供する。
【００２３】
本発明の第７態様によれば、前記ディスク搬送機構は、前記再生可能位置に搬送された前記ディスクを前記ディスク挿入口へ排出可能に構成され、
前記ディスクが前記ターンテーブル上に装着された状態で、前記蓋体が前記閉蓋位置から前記開蓋位置へ移動されたとき、前記ディスク搬送機構が前記ディスクを前記ディスク挿入口へ排出する一方、前記保持機構が前記蓋体を前記開蓋位置で保持する状態を切り換えることなく前記蓋体を前記開蓋位置で保持するように構成されている、第６態様に記載のディスク装置を提供する。
【００２４】
本発明の第８態様によれば、前記蓋開閉切換機構は、ディスク挿入時のみに作用して前記保持機構による前記開蓋位置の保持状態から前記閉蓋位置の保持状態に切り換えを可能とする１ウェイクラッチを備える、第７態様に記載のディスク装置を提供する。
【００２５】
本発明の記述を続ける前に、添付図面において同じ部品については同じ参照符号を付している。
以下、本発明の実施形態について、図面を参照しながら説明する。
【００２６】
（第１実施形態）
以下、本発明の第１実施形態にかかるディスク装置について説明する。図１Ａ及び図１Ｂは、本発明の第１実施形態にかかるディスク装置の斜視図である。
【００２７】
図１Ａ及び図１Ｂにおいて、１は本第１実施形態にかかるディスク装置の外装ケースであり、外装ケース１の前面壁１ａは、前方が下方となるように傾斜する傾斜面を有している。前面壁１ａには、挿入されるディスク２００が通過可能な開口部１ｂが形成され、当該開口部１ｂを塞ぐように蓋体２が設けられている。蓋体２は、ディスク搬送方向である矢印Ａ１及びＡ２方向に対して直交する方向を回動軸として回動可能に設けられている。蓋体２の回動軸は、蓋体２の左右であって、開口部１ｂの側部おいてディスク装置の前方（矢印Ａ２方向側）に偏って配置されている。蓋体２が回動することにより、開口部１ｂを開閉することができる。図１Ａは、蓋体２が開口部１ｂを閉塞した状態を示しており、図１Ｂは、蓋体２が開口部１ｂを開放した状態を示している。
【００２８】
図１Ａに示すように、開口部１ｂを閉塞した状態において、蓋体２は、上表面が前面壁１ａの傾斜面とほぼ面一となる閉蓋位置２Ａに位置するように構成されている。一方、図１Ｂに示すように、開口部１ｂを開放した状態において、蓋体２は、上表面が矢印Ａ１及びＡ２方向と略平行になる開蓋位置２Ｂに位置するように構成されている。蓋体２が開蓋位置２Ｂに位置するとき、蓋体２よりも矢印Ａ１方向側に設けられたディスク挿入口１ｃが外部に露出する。このとき、蓋体２の上表面は、ディスク２００をディスク挿入口１ｃへと導くガイドとして機能する。
【００２９】
また、蓋体２の上表面には、手指が入る凹部２ａが形成されている。凹部２ａは、ディスク２００がディスク挿入口１ｃから排出された時に、ディスク２００の中央に形成された孔と対応する位置に形成されている。これにより、ユーザが手指をディスク２００の孔を通じて凹部２ａに差し込むことで、ディスク２００の保持が容易になっている。また、凹部２ａは、ユーザが閉蓋位置２Ａから開蓋位置２Ｂまで蓋体２を回動させるために押圧する際の指標となる。
【００３０】
次に、図２〜図３を用いて、前述の外装ケース１に内蔵されたディスクドライブユニット１００の構成について説明する。図２は、ディスクドライブユニット１００の分解斜視図である。図３は、ディスクドライブユニット１００の内部構造を示す上面図である。ディスクドライブユニット１００は、トレイを用いずにディスク２００を筐体内の再生可能位置に搬入するように構成されたスロットイン方式の装置である。
【００３１】
図２に示すように、ディスクドライブユニット１００は、該ユニットの外郭となる筐体１０１を備えている。筐体１０１の正面には、ディスク２００を挿入及び排出するための開口部１０１ａが設けられている。開口部１０１ａと後述するシャーシ部材４４のディスク挿入孔４４ａとにより、前述したディスク挿入口１ｃが構成される。開口部１０１ａは、防塵カバー３により塞がれている。防塵カバー３は、フェルト等の弾性シート３ａを備えている。弾性シート３ａのほぼ中央部（開口部１０１ａと対向する位置）には、ディスク２００が通過可能なスリット３ｂが形成されている。ディスク２００の先端部が防塵カバー３を弾性変形させながらスリット３ｂ及び開口部１０１ａを通じて筐体１０１内に挿入されることにより、筐体１０１内に配置された後述するディスク搬送機構が駆動し、ディスク２００が再生可能位置まで搬送される。
【００３２】
筐体１０１の開口部１０１ａの近傍には、ディスク２００の上側をガイドする上ガイド４と、ディスク２００の下側をガイドするローラベース５のガイド部５ａとが設けられている（図９Ａ参照）。ローラベース５は、ディスク２００を筐体１０１の内部に搬送する、ガイド及び駆動力伝達部として機能する一対のローラアーム７ａ，７ｂを回動自在に保持している（図１０参照）。ローラアーム７ａには、ディスク搬送ローラとして一対のゴムローラ６ａ，６ｂが回動自在に設けられている。ローラアーム７ｂには、ディスク搬送ローラとして一対のゴムローラ６ｃ，６ｄが固定されている。ゴムローラ６ａは、ローラギア６ｅと一体的に設けられている。ゴムローラ６ｂは、ローラギア６ｆと一体的に設けられている。
【００３３】
また、ローラアーム７ａには、ギア８ａ〜８ｃで構成されるギア列８が設けられている（図１５参照）。ギア８ｃは、図３に示すギア１０ａ〜１０ｅで構成されるギア列１０のうちのギア１０ａと噛み合っている。ギア１０ｅは、駆動源の一例であるモータ９が備えるウォームギア９ａと噛み合っている。従って、モータ９の駆動力は、ウォームギア９ａ及びギア列１０のギア１０ｅ−１０ｄ−１０ｃ−１０ｂ及びギア１０ａを介してギア列８に伝達されるようになっている。
【００３４】
また、ギア１０ｆはギア１０ｄの下側歯車と噛み合っているため、モータ９の駆動力が同時に伝達されるようになっている。このギア１０ｆと同軸にピニオン１０ｇが一体的に形成されている。ピニオン１０ｇは、後述するスライドカム部材１６に設けられたラック３０と噛み合い可能に構成されているが、ディスク２００が挿入されていない初期状態では、ピニオン１０ｇはラック３０と噛み合っていない状態にある。
【００３５】
また、ギア１０ｃは、クラッチプレート１１に回動自在に軸支されている。クラッチプレート１１は、上下方向（厚み方向ともいう）を回動軸として回動可能に設けられている。このクラッチプレート１１の回動は、後述するように、スライドカム部材１６が矢印Ａ２方向に摺動することにより行われる。そして、クラッチプレート１１の回動により、ギア１０ｃが移動してギア１０ｂとの噛み合いが切り離され、駆動力の伝達はギア１０ｆ及び同軸のピニオン１０ｇにのみ伝達されるようになっている。ローラベース５、ギア列８、モータ９、及びギア列１０は、筐体１０１内に配置されるメカシャーシ１２に、必要に応じて回動自在又は摺動可能に保持されている。
【００３６】
また、図２に示すように、筐体１０１の内部には、ディスク２００を載置するターンテーブル１３と、光ピックアップ１４及びこれを駆動する機構を有するトラバースメカニズム（以下トラバースという）１５が配置されている。ターンテーブル１３は、ディスク２００を回転させる回転力を発生させるスピンドルモータ（図示せず）と一体的に構成されている。トラバース１５は、上下方向に回動可能に構成されるとともに、メカシャーシ１２に一定の弾性をもってフローティング支持されている。トラバース１５の上下方向への回動により、再生可能位置に搬送されたディスク２００をターンテーブル１３上に装着することができる。
【００３７】
また、図３に示すように、メカシャーシ１２の右側には、スライドカム部材１６が矢印Ａ１又はＡ２方向に摺動自在に設けられている。メカシャーシ１２の左側には、スライドカム部材１８が矢印Ａ１又はＡ２方向に摺動自在に設けられている。スライドカム部材１６とスライドカム部材１８とは、メカシャーシ１２の下部に回動自在に支持されたリンクアーム１７（図２参照）により連結され、リンクアーム１７の回動により相互に逆方向に摺動するように構成されている。
【００３８】
また、メカシャーシ１２には、トラバース１５を支持する中間シャーシ１９が、ピン１９ａ，１９ｂにより軸支されることにより回動自在に設けられている。中間シャーシ１９には、スライドカム部材１６，１８に形成された昇降カム１６ａ，１８ｂ（図２参照）と係合するピン１９ｃ，１９ｄが設けられている。スライドカム部材１６，１８が相互に逆方向に摺動することによって、ピン１９ｃ，１９ｄが昇降カム１６ａ，１８ａに沿って移動することで昇降し、中間シャーシ１９がピン１９ａ，１９ｂを回動軸として回動する。
【００３９】
トラバース１５の前部（ディスク挿入口１ｃ側）は、中間シャーシ１９の前方部分に、フローティングゴム２０ａ，２０ｂを介して左右それぞれ１ヶ所固定されている。トラバース１５の後部は、フローティングゴム２０ｃ，２０ｄを介してメカシャーシ１２にフローティング支持されている。中間シャーシ１９がピン１９ａ，１９ｂを回動軸として回動することにより、トラバース１５がフローティングゴム２０ｄ，２０ｃ側を回動軸として回動する。このトラバース１５の回動動作に伴って、ターンテーブル１３が昇降する。
【００４０】
ターンテーブル１３の上方には、トラバース１５の上部を覆うようにアッパーベース２２が配置されている。アッパーベース２２のターンテーブル１３と対向する位置には、開口部２２ａが設けられている。アッパーベース２２には、開口部２２ａを挟んで対向するクランパリフタ２３ａ，２３ｂが、互いに近づく又は離れる方向に摺動可能に設けられている。また、、ターンテーブル１３の上方には、ディスク２００をターンテーブル１３上にクランプするためのクランパ２１が設けられている。
【００４１】
クランパ２１は、一対のクランパリフタ２３ａ，２３ｂが互いに近づいて位置するとき、クランパリフタ２３ａ，２３ｂのそれぞれの端部に支持される。このとき、クランパ２１は、ターンテーブル１３上に載置されたディスク２００と非接触の状態にある。この状態から一対のクランパリフタ２３ａ，２３ｂが互いに離れる方向に移動されると、クランパ２１は、開口部２２ａを通じてターンテーブル１３に近づくように移動する。
【００４２】
クランパ２１には、鉄製のヨーク２１ａが設けられている。ターンテーブル１３上にディスク２００が載置された状態で、鉄製のヨーク２１ａがターンテーブル１３に設けられたマグネットの磁力により引っ張られることにより、ディスク２００がクランパ２１とターンテーブル１３との間に挟み込まれる。これにより、ターンテーブル１３上にディスク２００が装着され、再生可能なクランプ状態となる。また、このクランプ状態から、一対のクランパリフタ２３ａ，２３ｂが互いに近づく方向に移動されると、当該移動により一対のクランパリフタ２３ａ，２３ｂに押圧されたクランパ２１は、磁力に抗してターンテーブル１３から離れるように移動する。これにより、クランプ状態が解除される。
【００４３】
アッパーベース２２の下面には、ディスク２００が再生可能位置に向かうようにセンタリングを行うセンタリング部材２４が摺動自在に設けられている。また、アッパーベース２２の下面には、再生可能位置に搬送されるディスク２００に当接して押圧されることにより回動するトリガレバー２５が、回動自在に設けられている（図１３及び図１４参照）。また、アッパーベース２２の下面には、筐体１０１内に挿入されたディスク２００をターンテーブル１３とクランパ２１との間で安定して保持するためのガイドレバー２６が、回動自在に設けられている。アッパーベース２２は、メカシャーシ１２に固定されている。メカシャーシ１２は、筐体１０１に固定されている。
【００４４】
また、メカシャーシ１２には、検出スイッチ２７ａ〜２７ｃが実装された基板２７が取り付けられている（図３参照）。検出スイッチ２７ａは、開口部１０１ａ（ディスク挿入口１ｃ）を通じて挿入されたディスク２００を検出するスイッチである。検出スイッチ２７ａは、図１５に示すようにローラアーム７ｂに設けられたディスク検出レバー２９により作動される。検出スイッチ２７ｂは、ディスク２００の排出時にディスク搬送動作の終了を検出するスイッチである。検出スイッチ２７ｂは、ディスク２００の挿入及び排出時に回動するローラアーム７ｂの下面により作動される。検出スイッチ２７ｃは、ディスク２００が再生可能位置に搬送されターンテーブル１３上に装着されたことを検出するスイッチである。検出スイッチ２７ｃは、スライドカム部材１８によって作動される。基板２７は、ローラベース５に取り付けられたローラアーム７ｂと対向する位置に設けられている。
【００４５】
また、ローラベース５には、図１５、図１６Ａ、及び図１６Ｂに示すように、リンクアーム２８ａ，２８ｂが回動自在に設けられている。リンクアーム２８ａ，２８ｂは、ローラアーム７ａ，７ｂと係合し、ローラアーム７ａ，７ｂを互いに同期して回動させるように構成されている。ローラアーム７ａは、回動軸７ａ−１を中心として矢印Ａ５及びＡ７方向に回動可能に設けられている。このローラアーム７ａは、ねじりコイルばね７ａ−２により、矢印Ａ７方向に付勢されている。また、ローラアーム７ｂは、回動軸７ｂ−１を中心として矢印Ａ６及びＡ８方向に回動可能に設けられている。このローラアーム７ｂは、ねじりコイルばね７ｂ−２により、矢印Ａ８方向に付勢されている。
【００４６】
なお、本第１実施形態においては、ギア列１０、ギア列８、ゴムローラ６ａ〜６ｄ、ローラギア６ｅ，６ｆ、ローラアーム７ａ，７ｂ、及びリンクアーム２８ａ，２８ｂにより、ディスク２００を再生可能位置に搬送するディスク搬送機構が構成されている。また、本第１実施形態においては、ギア１０ｄ〜１０ｆ，ピニオン１０ｇ、スライドカム部材１６、リンクアーム１７、スライドカム部材１８、中間シャーシ１９、トラバース１５、フローティングゴム２０ａ〜２０ｄ、クランパ２１、アッパーベース２２、及びクランパリフタ２３ａ，２３ｂにより、再生可能位置に搬送されたディスク２００を再生可能なクランプ状態にするためにターンテーブル１３上に装着するディスク装着機構が構成されている。また、本第１実施形態においては、クラッチプレート１１と、これを駆動するスライドカム部材１６、トリガレバー２５により、駆動源で発生した駆動力がディスク搬送機構又はディスク装着機構のいずれか一方のみに伝達されるように駆動力の伝達経路を切り換える伝達経路切換機構が構成されている。ここで、各々の機構の駆動に関連する共通的な構成部品として、駆動源であるモータ９やウォームギア９ａがあり、ギア列１０のように一部が複数の機構の駆動に供されるものもある。なお、本発明のディスク搬送機構、ディスク装着機構、及び伝達経路切換機構が前記構成に限定されるものではないことは、言うまでもない。
【００４７】
次に、図２及び図３を用いて、ディスクドライブユニット１００の構成を更に詳細に説明する。図３は、図２に示す全体構成の中で、筐体１０１、ローラベース５に関連する部品、及びアッパーベース２２に関連する部品を除いた各部品を、メカシャーシ１２に取り付けた状態を示す上面図である。
【００４８】
図３に示すように、ターンテーブル１３と光ピックアップ１４とは、トラバース１５上でディスクドライブユニット１００のほぼ中央に配置されている。トラバース１５の前部及び両側部を囲むように略Ｕ字状の中間シャーシ１９が配置されている。中間シャーシ１９の右側には、スライドカム部材１６が配置されている。中間シャーシ１９の左側には、スライドカム部材１８が配置されている。スライドカム部材１６とスライドカム部材１８とは、ディスク２００の搬送方向と同じ前後方向（矢印Ａ１及びＡ２方向）に摺動自在に配置されている。ディスク２００が搬送されていない初期状態では、メカシャーシ１２とスライドカム部材１６との間に張設されたバネ１６ｊにより、スライドカム部材１６は矢印Ａ１方向に付勢されている。リンクアーム１７を介してスライドカム部材１６と接続されるスライドカム部材１８は、矢印Ａ２方向に付勢されている。中間シャーシ１９の前部の両端部に設けられたピン１９ｃ，１９ｄは、スライドカム部材１６，１８に形成された昇降カム１６ａ，１８ａ（図２参照）に摺動可能に係合している。中間シャーシ１９の後部の両端部に設けられたピン１９ａ，１９ｂは、メカシャーシ１２に形成された軸受部１２ａ，１２ｂに回動自在に保持されている。この構成により、中間シャーシ１９は、スライドカム部材１６，１８が相互に逆方向に摺動することによって、ピン１９ａ，１９ｂを回動軸として回動し、中間シャーシ１９の前部が昇降する。
【００４９】
ここで、スライドカム部材１６，１８の相互に逆方向への摺動は、スライドカム部材１６のラック３０とピニオン１０ｇとが噛み合った状態で、モータ９の駆動力がウォームギア９ａ，ギア１０ｅ，１０ｄ，１０ｆを介してピニオン１０ｇに伝達されることにより行われる。ピニオン１０ｇは、ターンテーブル１３上の再生可能位置へ搬送されるディスク２００に押圧されてトリガレバー２５が回動し、当該トリガレバー２５に押圧されてスライドカム部材１６が矢印Ａ２方向に若干摺動することによって、ラック３０と噛み合う。
【００５０】
すなわち、モータ９の駆動によってディスク２００が再生可能位置まで搬送されると、トリガレバー２５の作用とモータ９の駆動力の伝達切換によって、スライドカム部材１６，１８が相互に逆方向に摺動する。これにより、中間シャーシ１９及びトラバース１５が上昇し、ターンテーブル１３上にディスク２００が装着され、ディスク２００が再生可能なクランプ状態となる。
【００５１】
また、スライドカム部材１８の一端部には、図４に示すように、連結ロッド４１が一体的に設けられている。連結ロッド４１は、図５に示すように、ディスクドライブユニット１００の筐体１０１に形成された切欠部４２を通じて前方に突出するように設けられている。連結ロッド４１は、ディスク２００をターンテーブル１３上に装着又は離脱させる動作に伴って移動するスライドカム部材１８と一体となって移動する。この連結ロッド４１の移動を利用して、後述するように、蓋体２の開閉動作が行われる。連結ロッド４１は、板金をＬ型に折りまげて形成されている。また、連結ロッド４１は、図４に示すように、スライドカム部材１８の移動方向に対して交差する方向に突出する突起部４１ａを備えている。突起部４１ａは、後述する蓋開閉アーム４６のアーム部４６ａと当接可能な位置に設けられている。連結ロッド４１の基部４１ｂは、スライドカム１８の一端部に嵌合している。連結ロッド４１には、連結ロッド４１が弾性変形することができるように、スリット４１ｃが形成されている。
【００５２】
次に、図５〜図９Ｂを用いて、蓋体２に関連する部品の構成について説明する。図５は、蓋体２に関連する部品の構成を示す分解斜視図である。図６は、ディスクドライブユニット１００の前部にシャーシ部材４４を取り付けた状態を示す拡大斜視図である。図７Ａは、蓋体２が閉蓋位置２Ａに位置するときの蓋体２に関連する部品の構成を示す断面図である。図７Ｂは、蓋体２が開蓋位置２Ｂに位置するときの蓋体２に関連する部品の構成を示す断面図である。図８Ａは、蓋開閉ギアブロックの構成を示す分解斜視図である。図８Ｂは、蓋開閉ギアブロックの側面図である。図９Ａは、ディスクドライブユニット１００の開口部１０１ａとシャーシ部材４４との位置関係を示す正面図である。図９Ｂは、蓋体２とディスク２００との位置関係を示す断面図である。
【００５３】
図５に示すように、ディスクドライブユニット１００の前方には、フレーム４３が配置されている。フレーム４３は、図７Ａ及び図７Ｂに示すように、外装ケース１の開口部１ｂと略対向する底壁１ｅ上に設けられている。
【００５４】
フレーム４３の両端部には、軸受板４３ａが形成されている。各軸受板４３ａには、軸孔４３ｂが形成されている。これらの軸孔４３ｂ，４３ｂには、蓋体２の両側部に設けられた回動軸２ｂ，２ｂが挿入されている。これにより、蓋体２は、フレーム４３に回動自在に軸支されている。また、蓋体２のディスクドライブユニット１００側の端部の下面には、回動軸２ｂを中心として円弧状に突出するように内歯ギア２ｃが形成されている。蓋体２の両側部の下面には、軸受板４３ａと略平行に設けられた側板部２ｄが形成されている。また、フレーム４３上には、シャーシ部材４４が設けられている。
【００５５】
シャーシ部材４４には、ディスク挿入孔４４ａが形成されている。ディスク挿入孔４４ａと前述した開口部１０１ａとによって、図１Ｂに示すディスク挿入口１ｃが構成されている。開口部１０１ａを構成する上ガイド４とローラベース５のガイド部５ａとは、図９Ａに示すように、緩やかに凹状に湾曲したガイド面を有している。同様に、ディスク挿入孔４４ａは、緩やかに凹状に湾曲したガイド面を有している。ディスク２００は、上ガイド４とガイド部５ａとの間のほぼ中央部、及びディスク挿入孔４４ａのほぼ中央部を通るように、防塵カバー３のスリット３ｂの周囲部分にガイドされながら、ディスクドライブユニット１００の内部へ搬送される。
【００５６】
また、図９Ｂに示すように、蓋体２の上表面は、前述したローラベース５のガイド部５ａと同様に、緩やかに凹状に湾曲している。これにより、ディスク２００を蓋体２の上表面をガイドとしてディスク挿入口１ｃに挿入する際、ディスク２００の周縁部のみが蓋体２の上表面に接触し、それ以外の部分は蓋体２に接触しないようにすることができる。従って、ディスク２００に傷が付くことを抑えることができる。
【００５７】
また、シャーシ部材４４には、軸孔４４ｂが形成されると共に、図６に示すように連結ロッド４１を摺動可能に保持する軸受部４４ｃが形成されている。軸受部４４ｃは、ガイド部４４ｆを備え、当該ガイド部４４ｆに連結ロッド４１の垂直板部分が摺動自在に嵌合されている。軸受部４４ｃの上部に形成された軸孔４４ｂには、蓋開閉ギア４５と蓋開閉アーム４６とねじりコイルばね４７とにより構成される蓋開閉ギアブロック１５０（図５参照）が固定ワッシャ４８とギア軸４９とにより取り付けられている。より具体的には、ギア軸４９は、軸孔４４ｂに挿入固定され、ねじりコイルばね４７、蓋開閉アーム４６、蓋開閉ギア４５を貫通して、その先端部に固定ワッシャ４８が固定されている。ねじりコイルばね４７、蓋開閉アーム４６、及び蓋開閉ギア４５は、軸受け部４４ｃと固定ワッシャ４８との間に位置し、ギア軸４９の先端部に固定ワッシャ４８が固定されることにより、ギア軸４９から抜けないように抜け止めされ、且つ回動自在になっている。
【００５８】
また、図７Ａ及び図７Ｂに示すように、蓋体２の下方で且つ蓋体２の側板部２ｄとフレーム４３の軸受板４３ａとの間には、トグルばね５０が設けられている。トグルばね５０の一方の端部５０ａは、軸受板４３ａに形成された孔４３ｃに支持されている。トグルばね５０の他方の端部５０ｂは、側板部２ｄに形成された孔２ｅに支持されている。トグルばね５０は、蓋体２が回動軸２ｂを中心として回動することにより、一方の端部５０ａを支点とし、他方の端部５０ｂを作用点として回動する。
【００５９】
また、蓋体２の下面で且つ回動軸２ｂよりも前方（図７Ａ及び図７Ｂの右側）には、アーム２ｆが形成されている。アーム２ｆは、外装フレーム１の底壁１ｅに設けられた蓋開閉検出スイッチ５１の操作レバー５１ａと接触可能に構成されている。蓋体２が閉蓋位置２Ａから開蓋位置２Ｂに移動することにより、アーム２ｆが操作レバー５１ａと接触して、蓋開閉検出スイッチ５１がオンになる。一方、蓋体２が開蓋位置２Ｂから閉蓋位置２Ａに移動するとき、アーム２ｆが操作レバー５１ａから離れて、蓋開閉検出スイッチ５１がオフになる。この蓋開閉検出スイッチ５１のオン／オフを検出することにより、蓋体２の位置を検出することが可能になる。
【００６０】
また、蓋体２のディスクドライブユニット１００側の端部の両側部には、係合部２ｇ，２ｇが設けられている。係合部２ｇ，２ｇは、蓋体２が閉蓋位置２Ａに位置するときに、シャーシ部材４４の両側部に形成された規制部４４ｄ，４４ｄと係合するように形成されている。係合部２ｇと規制部４４ｄとが係合することにより、蓋体２は、閉蓋位置２Ａで保持される。
【００６１】
また、図５及び図６に示すように、シャーシ部材４４には、収納部４４ｅが形成されている。この収納部４４ｅには、緩衝体５２が収納されている。緩衝体５２は、蓋体２が開蓋位置２Ｂに位置するときに、その上部５２ａが蓋体２の下面と当接するように設けられている。この構成により、蓋体２が閉蓋位置２Ａから開蓋位置２Ｂに移動するときに発生する衝撃音が和らげられるようにしている。また、図７Ａ及び図７Ｂに示すように、前述したシャーシ部材４４の規制部４４ｄには、収納部４４ｇが形成されている。この収納部４４ｇには、緩衝体４４ｈが配置されている。この構成により、蓋体２が開蓋位置２Ｂから閉蓋位置２Ａに移動するときに発生する衝撃音が和らげられるようにしている。
【００６２】
また、図７Ａ及び図７Ｂに示すように、蓋体２の内歯ギア２ｃは、蓋開閉ギア４５と噛み合うように構成されている。蓋体２が閉蓋位置２Ａから開蓋位置２Ｂに移動するとき、蓋体２の内歯ギア２ｃを介して蓋開閉ギア４５が回動される。一方、蓋体２が開蓋位置２Ｂから閉蓋位置２Ａに移動するとき、蓋開閉ギア４５が回動することによって、蓋体２が回動軸２ｂを中心として回動する。
【００６３】
図８Ａに示すように、蓋開閉ギア４５には、ギア部４５ａと、一方のギア端部４５ａ−１と、他方のギア端部４５ａ−２と、軸孔４５ｂと、アーム嵌合軸部４５ｃと、ばね係合部４５ｄとが形成されている。また、蓋開閉アーム４６には、アーム部４６ａと、蓋開閉ギア４５のアーム嵌合軸部４５ｃが嵌合する軸孔４６ｂと、ばね係合部４６ｃとが形成されている。ねじりコイルばね４７は、蓋開閉ギア４５のばね係合部４５ｄと、蓋開閉アーム４６のばね係合部４６ｃとに所定（微小）のトルクが掛けられた状態で係合している。
【００６４】
蓋開閉アーム４６は、通常、蓋開閉ギア４５に対して、ねじりコイルばね４７の付勢力により図８Ｂにおける矢印Ｂ５方向に付勢され、アーム部４６ａがギア端部４５ａ−１に当接した状態で保持されている。この保持状態で蓋開閉アーム４６のアーム部４６ａに矢印Ｂ５方向とは逆の矢印Ｂ６方向にねじりコイルばね４７の付勢力以上の負荷が加えられると、アーム部４６ａがねじりコイルばね４７の付勢力に抗して蓋開閉ギア４５に対して矢印Ｂ６方向に相対的に回動し、図８Ｂに示すように、アーム部４６ａはギア端部４５ａ−１への当接状態から離れる。このとき、アーム部４６ａは、ギア端部４５ａ−２に当接するまで回動可能である。
【００６５】
また、トグルばね５０は、図７Ａに示すように、作用点である端部５０ｂが蓋体２の回動軸２ｂと端部５０ａとを通る直線Ｌ１より上方に位置するとき、蓋体２を矢印Ｂ１方向（閉じる方向）に付勢する。このトグルばね５０の付勢力により、蓋体２は、閉蓋位置２Ａで保持される。この状態において、蓋体２の上表面は、前面壁１ａの表面とほぼ面一となる。また、トグルばね５０は、図７Ｂに示すように、作用点である端部５０ｂが直線Ｌ１より下方に位置するとき、蓋体２を矢印Ｂ２方向（開く方向）に付勢する。このトグルバネ５０の付勢力により、蓋体２は、開蓋位置２Ｂで保持される。この状態においては、シャーシ部材４４に形成したディスク挿入孔４４ａ（すなわち、ディスク挿入口１ｃ）が外部に露出し、ディスク２００をディスクドライブユニット１００に挿入することができる。すなわち、トグルばね５０は、蓋体２の側板部２ｄとフレーム４３の軸受板４３ａとの間で、蓋体２の開閉に連動してその作用方向が反転されることにより、蓋体２が閉蓋位置２Ａ又は開蓋位置２Ｂのいずれかに位置する状態で、その状態を保持する保持機構として機能する。
【００６６】
蓋体２の開蓋位置２Ｂから閉蓋位置２Ａへの移動は、蓋体２の回動軸２ｂよりもディスク挿入孔４４ａから離れた部分を、トグルばね５０の矢印Ｂ２方向の付勢力に抗して、手指により矢印Ｂ３方向に押圧することにより行うことができる。当該押圧により、作用点である端部５０ｂが直線Ｌ１より上方に移動すると、トグルばね５０の付勢力が作用する方向が、矢印Ｂ２方向から矢印Ｂ１方向に反転する。これにより、蓋体２は、図７Ａに示すように、閉蓋位置２Ａで保持される。
【００６７】
次に、図１０〜図１２を用いて、筐体１０１内に挿入されたディスク２００を再生可能位置まで搬送するディスク搬送動作について説明する。図１０〜図１２は、ディスク２００の搬送状態を示す上面図である。
【００６８】
図１０は、筐体１０１内にディスク２００を挿入した直後の状態を示している。このとき、ディスク２００は、右側の一対のゴムローラ６ａ，６ｂ及び左側の一対のゴムローラ６ｃ，６ｄに当接している。また、このとき、ローラアーム７ｂに設けられたディスク検出レバー２９がディスク２００に押圧されて回動することにより、検出スイッチ２７ａが作動し、ディスク挿入口１ｃを通じてディスク２００が挿入されたことを検出する。検出スイッチ２７ａが作動すると、モータ９が駆動を開始する。モータ９の駆動力は、ギア列１０及びギア列８を介して、ゴムローラ６ａ，６ｂに伝達される。これにより、ゴムローラ６ａ，６ｂが矢印Ａ３方向に回動し、ゴムローラ６ｂの回転駆動力及び摩擦力と、当該ゴムローラ６ｂとディスク２００を挟んで対向する回転しないゴムローラ６ｄの摩擦力とによって、ディスク２００がゴムローラ６ｄ（より詳細にはディスク２００との当接部）を回動中心として矢印Ａ４方向に回動する。この矢印Ａ４方向の回動により、ディスク２００は、矢印Ａ１方向に搬送される。
【００６９】
図１０に示す状態から、ディスク２００が矢印Ａ１方向に搬送されると、当該ディスク２００によってゴムローラ６ｂとゴムローラ６ｄとの間が押し広げられる。これにより、図１６Ａ及び図１６Ｂに示すねじりコイルばね７ａ−２，７ｂ−２の付勢力に抗して、ローラアーム７ａが矢印Ａ５方向に回動し、ローラアーム７ｂが矢印Ａ６方向に回動する。すなわち、一対のローラアーム７ａ，７ｂは、互いに遠ざかる方向（開く方向）に回動する。このローラアーム７ａ，７ｂの回動により、ゴムローラ６ａ，６ｃが、一旦、ディスク２００の周縁部から離れる。その後、ディスク２００が更に矢印Ａ１方向に搬送され、ディスク２００の左右最大径であるディスク２００の中心部がゴムローラ６ｂ，６ｄ間を通り過ぎると、図１６Ａ及び図１６Ｂに示すねじりコイルばね７ａ−２，７ｂ−２の付勢力により、ローラアーム７ａが矢印Ａ７方向に回動し、ローラアーム７ｂが矢印Ａ８方向に回動する。すなわち、一対のローラアーム７ａ，７ｂは、互いに近づく方向（閉じる方向）に回動する。これにより、ゴムローラ６ａ，６ｃは、再び、ディスク２００の周縁部と当接することとなり、図１１に示す状態となる。
【００７０】
図１１は、ゴムローラ６ａ〜６ｄの全てがディスク２００と当接した状態を示しているが、この状態から更にディスク２００が矢印Ａ１方向に搬送されることにより、図１２に示すディスク２００が再生可能位置まで搬送された状態となる。ディスク２００は、筐体１０１内に挿入された直後のディスク位置２００ａ（図１０参照）から、再生可能なディスク位置２００ｃ（図１２参照）まで搬送される過程で、図１１に示すディスク位置２００ｂを通過する。このディスク位置２００ｂは、ディスク２００の回転力が、ゴムローラ６ｂ，６ｄから伝達されるのに代えてゴムローラ６ａ，６ｃから伝達されるように切り換えられる位置である。すなわち、このディスク位置２００ｂからディスク位置２００ｃまでは、ディスク２００は、ゴムローラ６ａの回転駆動力によって、ゴムローラ６ｃの回動中心として矢印Ａ４方向に回動する。このゴムローラ６ｃを回動中心とする矢印Ａ４方向の回動により、ディスク２００は、更に矢印Ａ１方向に搬送され、ディスク２００が図１２に示すディスク位置２００ｃまで搬送される。この位置でディスク２００の搬送動作は終了する。
【００７１】
ディスク２００が図１２に示す位置、すなわちターンテーブル１３に対向するディスク再生可能な位置まで搬送されると、トリガレバー２５によってディスク２００の搬送完了位置、すなわち前述のディスク位置２００ｃが検出される。この図１２に示すディスク位置２００ｃにおいて、トリガレバー２５の作用により、モータ９による駆動力の伝達が、ディスク２００の搬送駆動からスライドカム部材１６，１８の駆動に切り換えられ、ディスク装着のクランプ動作が行われる。そのトリガレバー２５による切換の状態を示すのが図１３及び図１４である。
【００７２】
次に、図１３及び図１４を用いて、ディスク搬送動作からディスク装着動作への切り換えに時におけるガイドレバー２６、センタリング部材２４、トリガレバー２５、及びスライドカム部材１６の動作について説明する。図１３及び図１４は、ディスク搬送動作時におけるガイドレバー２６、センタリング部材２４、トリガレバー２５、及びスライドカム部材１６の位置関係を示す上面図である。なお、これらの図においては、便宜上、一部を透過図で示している。
【００７３】
ディスク２００がディスク挿入口１ｃを通じて挿入され矢印Ａ１方向に搬送されると、まず、ディスク２００の先端部の近傍がガイドレバー２６の位置決め用ガイド２６ｂに当接して、ディスク２００の厚み方向の高さ位置が位置決めされる。この状態で更にディスク２００が矢印Ａ１方向に搬送されると、ディスク２００が回動軸２６ａを中心としてガイドレバー２６を回動させる。その後、ディスク２００は、センタリング部材２４の位置決め当接部２４ａ，２４ｂに当接し、当該センタリング部材２４によって左右方向の位置を位置決めされる（すなわち、センタリングされる）。この状態で更にディスク２００が矢印Ａ１方向に搬送されると、ディスク２００がセンタリング部材２４を矢印Ａ１方向に移動させる。このセンタリング部材２４の移動により、センタリング部材２４に設けられたガイドカム２４ｅに回動軸部２５ｃが係合するトリガレバー２５は、回動軸部２５ｃがガイドカム２４ｅの第１の直線部２４ｅ−１から傾斜カム部２４ｅ−２、第２の直線部２４ｅ−３へとガイドされ、傾斜カム部２４ｅ−２にガイドされる際にその全体がスライドカム部材１６に近づく方向に移動する。なお、トリガレバー２５の回動軸部２５ｃは、矢印Ａ１及びＡ２方向に移動しないように設けられている。トリガレバー２５の前記移動により、トリガレバー２５のスライドカム押圧部２５ｂとスライドカム部材１６の第１係合部１６ｂとの係合が外れる。この状態で更にディスク２００が矢印Ａ１方向に搬送されると、ディスク２００がトリガレバー２５のディスク当接部２５ａに当接してトリガレバー２５を押圧する。これにより、トリガレバー２５が回動軸部２５ｃを中心として矢印Ａ１０方向に回動し、図１３に示す状態になる。このとき、トリガレバー２５のスライドカム押圧部２５ｂは、スライドカム部材１６の第２係合部１６ｃと当接する。この状態は、搬送されたディスク２００が再生可能位置に搬送されたことを、トリガレバー２５が検出した状態であるが、この時、スライドカム部材１６のラック３０とピニオン１０ｇは、まだ噛み合っていない状態にある。
【００７４】
図１３に示す状態から更にディスク２００が矢印Ａ１方向に搬送されると、ディスク２０によりディスク当接部２５ａを押圧されたトリガレバー２５が回動軸部２５ｃを中心として矢印Ａ１０方向に更に回動する。これにより、トリガレバー２５のスライドカム押圧部２５ｂがスライドカム部材１６の第２係合部１６ｃを押圧し、スライドカム部材１６が矢印Ａ２方向に若干摺動する。これにより、図１４に示すように、スライドカム部材１６のラック３０がピニオン１０ｇと噛み合い、スライドカム部材１６がモータ９の駆動力により直接駆動されるようになる。すなわち、ディスク２００の搬送動作が完了し、ディスク装着動作が開始される。
【００７５】
なお、図１４に示す状態は、ディスク２００が再生可能位置まで搬送された状態である。この図１４に示す状態では、モータ９の駆動力がピニオン１０ｇに伝達され、ピニオン１０ｇが回転している。このため、ピニオン１０ｇと噛み合うラック３０が駆動され、スライドカム部材１６が更に矢印Ａ２方向に摺動する。この摺動に伴い、スライドカム部材１６にリンクアーム１７を介して連結されているスライドカム部材１８が、矢印Ａ１方向に摺動する。このスライドカム部材１６，１８の互いに逆方向の摺動により、前述したように、ディスク２００のターンテーブル１３上への装着動作が行われる。
【００７６】
なお、ディスク２００の搬送動作から装着動作への切換の過程で、トリガレバー２５のディスク当接部２５ａなどのディスク２００と当接している部分は、スライドカム部材１６，１８の移動に連動して、ディスク２００から離れるようにしている。これにより、ディスク２００の装着動作に支障が無いようになっている。
【００７７】
次に、ディスク２００の排出時の動作について説明する。ディスク２００の排出を行うためには、まず、再生可能な状態にあるディスク２００のクランプ状態を解除し、引き続いてトラバース１５の下降動作を行って、ディスク２００の搬送が可能な状態にする必要がある。ここでは、この説明を省略し、ディスク２００が、図１２に示すディスク位置２００ｃに位置し、クランプ状態を解除され、且つゴムローラ６ａ，６ｃによって挟持されているものとして説明を始める。
【００７８】
まず、モータ９がクランプ状態解除のため既に逆駆動されていることにより、ゴムローラ６ａ，６ｂがディスク２００の搬入時とは逆方向に回転する。これにより、ディスク２００がゴムローラ６ｃを回動中心として、ディスク２００を矢印Ａ４方向とは逆方向に回転する。この矢印Ａ４方向とは逆方向への回動により、ディスク２００は、矢印Ａ１方向とは逆方向（すなわち矢印Ａ２方向）に搬送される。
【００７９】
矢印Ａ１方向とは逆方向の搬送により、ディスク２００が図１１に示すディスク位置２００ｂに達すると、ディスク２００の回動力が、ゴムローラ６ａ，６ｃから伝達されるのに代えてゴムローラ６ｂ，６ｄから伝達されるように切り換えられる。これにより、ディスク２００は、ゴムローラ６ｄを回動中心として矢印Ａ４方向とは逆方向に回動する。この矢印Ａ４方向とは逆方向の回動により、ディスク２００は、更に矢印Ａ１方向とは逆方向に搬送される。この矢印Ａ１方向とは逆方向の搬送によりディスク２００が図１０に示すディスク位置２００ａまで搬送されたことを検出スイッチ２７ｂが検出すると、モータ９が駆動を停止する。これにより、ディスク２００の排出動作が完了する。
【００８０】
なお、図１０に示すディスク位置２００ａまで排出されたディスク２００は、ユーザの手指によって取り出しが可能となる。また、このとき、ディスク２００は、ゴムローラ６ａ〜６ｄによる挟持力及び摩擦力と、防塵カバー３の弾性力及び摩擦力とにより、開口部１０１ａから筐体１０１の外部へ飛び出すことなく保持される。
【００８１】
次に、図１７Ａ〜図２０を用いて、ターンテーブル１３を昇降動作させる構成について説明する。
【００８２】
図１７Ａ及び図１７Ｂは、ターンテーブル１３が下降した状態（ディスク２００が挿入されていない待機状態）にあるときの中間シャーシ１９とスライドカム部材１６，１８との位置関係を示す斜視図である。図１８は、ターンテーブル１３が下降した状態にあるときのスライドカム部材１６，１８とリンクアーム１７との位置関係を示す上面図である。この状態では、スライドカム部材１６は、図３を用いて前述したようにバネ１６ｊにより矢印Ａ１方向に付勢されている。このスライドカム部材１６は、リンクアーム１７を介してスライドカム部材１８と連結されている。リンクアーム１７は、回動軸１７ａを中心として回動自在に設けられている。このため、スライドカム部材１８は、バネ１６ｊにより、スライドカム部材１６とは逆向きの矢印Ａ２方向に付勢されている。従って、スライドカム部材１８に接続された連結ロッド４１も、矢印Ａ２方向に付勢されている。これにより、連結ロッド４１は、図５に示すように、ディスクドライブユニット１００の筐体１０１に形成された切欠部４２を通じて前方に突出した状態で保持されている。
【００８３】
スライドカム部材１８には、図１８に示すように、検出スイッチ２７ｃと当接可能な突出部１８ｂが形成されている。突出部１８ｂは、ディスク２００が再生可能位置に搬送されて、スライドカム部材１８が矢印Ａ１方向に摺動した際、検出スイッチ２７ｃに当接し、検出スイッチ２７ｃを作動させるものである。
【００８４】
なお、図１７Ａ，図１７Ｂ、及び図１８に示す状態は、前述したように、ディスク２００が再生可能位置に搬送され、トリガレバー２５のスライドカム押圧部２５ｂによりスライドカム部材１６が押圧されてラック３０がピニオン１０ｇに噛み合い、スライドカム部材１６が矢印Ａ２方向に摺動を開始するまで継続される。スライドカム部材１６が矢印Ａ２方向に摺動するとともに、スライドカム部材１８が矢印Ａ１方向に摺動することにより、中間シャーシ１９の係合ピン１９ｃ，１９ｄが昇降カム１６ａ，１８ａに沿って移動する。これにより、中間シャーシ１９の前部が上昇してターンテーブル１３が上昇し、ディスク２００がターンテーブル１３とクランパ２１との間に挟持される。その後、前述したスライドカム部材１８の突出部１８ｂが検出スイッチ２７ｃに当接することにより、モータ９の駆動が停止される。これにより、ディスク２００の装着完了状態となり、図１９Ａ，図１９Ｂ及び図２０に示す状態となる。
【００８５】
図１９Ａ及び図１９Ｂは、ターンテーブル１３が上昇した状態（ディスク２００の装着完了状態）にあるときの中間シャーシ１９とスライドカム部材１６，１８との位置関係を示す斜視図である。図２０は、ターンテーブル１３が上昇した状態にあるときのスライドカム部材１６とスライドカム部材１８とリンクアーム１７の位置関係を示す上面図である。なお、このとき、ラック３０とピニオン１０ｇとは、噛み合ったままである。この状態において、連結ロッド４１は、バネ１６ｊ（図３参照）の付勢力に抗してラック３０とピニオン１０ｇの噛み合いにより保持された状態となっている。このため、連結ロッド４１は、ディスクドライブユニット１００の前方への突出量が最も少ない位置に位置している。また、この状態は、ディスク２００の排出のために、モータ９が逆駆動され、ピニオン１０ｇを介してラック３０を駆動し、スライドカム部材１６がディスク２００の装着時とは逆方向である矢印Ａ１方向に摺動を開始するまで維持される。
【００８６】
次に、図２１Ａ〜図２４Ｂを用いて、蓋体２の開閉動作と連結ロッド４１の移動との関係について説明する。
【００８７】
図２１Ａは、蓋体２が閉蓋位置２Ａに位置するときの蓋体２に関連する部品の位置関係を示している。図２１Ａに示す状態において、ディスク２００は、ターンテーブル１３上に装着されていない状態にある。蓋体２は、トグルばね５０によって矢印Ｂ１方向に付勢されて閉蓋位置２Ａで保持されている。蓋開閉検出スイッチ５１は、操作レバー５１ａとアーム２ｆとが接触せず、オフ状態にある。連結ロッド４１は、ディスクドライブユニット１００の前方へ最も突出した位置に位置する。突起部４１ａは、蓋開閉ギア４５よりもディスクドライブユニット１００の前方（回動軸２ｂ側）に位置している。
【００８８】
図２１Ａに示す状態で、蓋体２の凹部２ａを矢印Ｂ２方向に押圧すると、蓋体２が回動軸２ｂを中心として矢印Ｂ２方向に回動する。これにより、蓋体２に設けられた内歯ギア２ｃが蓋開閉ギア４５のギア部４５ａと噛み合い、蓋開閉ギア４５がギア軸４９を中心として回動する。また、蓋体２の矢印Ｂ２方向の回動に伴い、蓋体２の側板部２ｄに支持されたトグルばね５０の端部５０ｂが下方に移動する。これにより、トグルばね５０の端部５０ｂが回動軸２ｂと端部５０ａとを通る直線Ｌより下方になるタイミングで、トグルばね５０が蓋体２を付勢する方向が反転する。すなわち、蓋体２は、トグルばね５０によって矢印Ｂ１方向とは反対方向に付勢される。このトグルばね５０の付勢力により、蓋体２が図２１Ｂに示す開蓋位置２Ｂで保持される。
【００８９】
図２１Ｂは、蓋体２が開蓋位置２Ｂに位置するときの蓋体２に関連する部品の位置関係を示している。図２１Ａに示す状態から図２１Ｂに示す状態まで移行する際、蓋体２は、前述した緩衝体５２（図５参照）に当接する。これにより、衝撃音が緩和される。
【００９０】
図２１Ｂに示す状態において、蓋開閉ギア４５に嵌合された蓋開閉アーム４６のアーム部４６ａは、連結ロッド４１の突起部４１ａの移動軌跡上に位置する。蓋開閉検出スイッチ５１は、操作レバー５１ａがアーム２ｆと接触してオン状態にある。ディスク挿入孔４４ａは、外部に露出し、ディスク２００を挿入可能な状態となっている。
【００９１】
図２２Ａは、蓋体２が開蓋位置２Ｂに位置する状態で、ディスク挿入孔４４ａにディスク２００を挿入した状態を示している。図２２Ａに示す状態は、前述した図１０に示す状態と対応している。図２２Ａに示す状態において、ディスク２００は、前述したゴムローラ６ａ〜６ｄと防塵カバー３を構成する弾性シート３ａとに支持され、蓋体２の上表面と非接触の状態にある。ディスク２００がディスク挿入孔４４ａを通じてディスクドライブユニット１００内の挿入されたことを検出スイッチ２７ａが検出すると、モータ９を駆動する。これにより、ディスク２００の矢印Ａ１方向への搬入動作が行われる。
【００９２】
ディスク２００が再生可能位置まで搬送されると、モータ９の駆動力がディスク搬送機構に代えてディスク装着機構に伝達される。これにより、スライドカム部材１８に設けられた連結ロッド４１が矢印Ａ１方向に移動する。この連結ロッド４１の移動の過程で、突起部４１ａが、蓋開閉ギア４５のギア部４５ａの一方のギア端部４５ａ−１に当接している蓋開閉アーム４６のアーム部４６ａに当接することになる。
【００９３】
図２２Ｂは、連結ロッド４１の突起部４１ａが蓋開閉アーム４６のアーム部４６ａに当接し、当該アーム部４６ａと共に蓋開閉ギア４５が回動している途中の状態を示している。蓋開閉ギア４５の回動により、内歯ギア２ｃで蓋開閉ギア４５のギア部４５ａと噛み合う蓋体２が、矢印Ｂ１方向に回動する。
【００９４】
図２２Ｂに示す状態から更に連結ロッド４１が矢印Ａ１方向に移動すると、蓋開閉ギア４５が更に回動し、蓋体２が更に矢印Ｂ１方向に回動する。この蓋体２の回動により、蓋体２の側板部２ｄに支持されたトグルばね５０の端部５０ｂが直線Ｌ１より上方に移動し、トグルばね５０が蓋体２を付勢する方向が反転する。すなわち、蓋体２は、トグルばね５０によって矢印Ｂ１方向に付勢される。これにより、蓋体２は、更に矢印Ｂ１方向に回動する。蓋体２の係合部２ｇが規制部４４ｄに設けられた緩衝体４４ｈに当接すると、蓋体２が閉蓋位置２Ａで保持される図２３Ａの状態となる。このとき、緩衝体４４ｈが緩衝音を緩和する。なお、突起部４１ａがアーム部４６ａに当接して蓋開閉ギア４５を回動させる範囲は、少なくとも、トグルばね５０の端部５０ｂが直線Ｌより上方に移動するまで蓋体２を回動させることができるように設定する必要がある。
【００９５】
図２３Ａは、蓋体２が閉蓋位置２Ａで保持された状態を示している。図２３Ａに示す閉蓋状態は、図２１Ａに示す閉蓋状態に対して、連結ロッド４１が矢印Ａ１方向に移動し、突起部４１ａが蓋開閉ギア４５よりもディスクドライブユニット１００側に位置している点で異なる。図２３Ａに示す状態のとき、ディスク２００は、ディスクドライブユニット１００のターンテーブル１３上に装着されている。
【００９６】
図２３Ａに示す状態で、蓋体２の凹部２ａを矢印Ｂ２方向に押圧すると、蓋体２が回動軸２ｂを中心として矢印Ｂ２方向に回動する。これにより、蓋体２に設けられた内歯ギア２ｃが蓋開閉ギア４５のギア部４５ａと噛み合い、蓋開閉ギア４５がギア軸４９を中心として回動する。また、蓋体２の矢印Ｂ２方向の回動に伴い、蓋体２の側板部２ｄに支持されたトグルばね５０の端部５０ｂが下方に移動する。これにより、トグルばね５０が蓋体２を付勢する方向が、端部５０ｂが直線Ｌより下方になるタイミングで反転する。すなわち、蓋体２は、トグルばね５０によって矢印Ｂ２方向に付勢される。これにより、蓋体２が図２３Ｂの状態となり開蓋位置２Ｂで保持される。
【００９７】
図２３Ｂは、蓋体２が開蓋位置２Ｂで保持された状態を示している。図２３Ａに示す状態から図２３Ｂに示す状態へ移行する過程で、蓋体２のアーム部２ｆが操作レバー５１ａに接触して、蓋開閉検出スイッチ５１がオンされる。蓋開閉検出スイッチ５１は、ディスク２００の排出のためのイジェクトスイッチとしての機能を有する。すなわち、蓋開閉スイッチ５１がオンされることにより、ディスクドライブユニット１００のモータ９が駆動され、ディスク２００の排出動作が行われるようになっている。このように設定されているのは、以下の理由による。
【００９８】
すなわち、ユーザが蓋体２を閉蓋位置２Ａから開蓋位置２Ｂに移動させるのは、ディスク２００を取り出したい場合、又は新たなディスク２００を挿入したい場合のいずれかである。いずれの場合も、図２３Ａに示す状態（すなわち、ディスク２００がターンテーブル１３上に装着され、連結ロッド４１が矢印Ａ１方向に移動している状態）においては、ディスクドライブユニット１００内のディスク２００を排出（イジェクト）する必要がある。このため、ユーザが蓋体２を閉蓋位置２Ａから開蓋位置２Ｂに移動させたときに自動的にディスク２００の排出動作が行われるようにすることが好ましい。そこで、蓋体２の開蓋位置２Ｂへの移動に連動して蓋検出スイッチ５１をオン状態にし、自動的に、ディスク２００の排出動作が行われるようにしている。
【００９９】
図２３Ｂに示す状態から、ディスク２００の排出動作が開始されると、前述したように、スライドカム部材１８と共に連結ロッド４１が矢印Ａ２方向に移動する。この連結ロッド４１の移動に伴い、連結ロッド４１の突起部４１ａが、蓋開閉アーム４６のアーム部４６ａに当接する。
【０１００】
図２４Ａの状態は、連結ロッド４１の突起部４１ａが蓋開閉アーム４６のアーム部４６ａと当接し、当該アーム部４６ａのみが回動している状態を示している。図２４Ａに示すように、連結ロッド４１の矢印Ａ２方向の移動により、アーム部４６ａと突起部４１ａとが当接する。一方、蓋開閉ギア４５は、トグルばね５０により矢印Ｂ２方向に付勢された蓋体２の内歯ギア２ｃと噛み合っているので回動しない。このため、蓋開閉アーム４６のアーム部４６ａは、ねじりコイルばね４７（図５，図８Ａ参照）による矢印Ｂ５方向の付勢力に抗して矢印Ｂ６方向に回動する。すなわち、連結ロッド４１の突起部４１ａは、蓋開閉ギア４５を回動させることなく、アーム部４６ａを回動させて、矢印Ａ２方向に移動する。この連結ロッド４１の移動は、スライドカム部材１８の矢印Ａ２方向への移動が停止し、ディスク２００のクランプ状態が解除される位置で停止する。その後、ディスク２００はディスク搬送機構により搬送され、ディスク２００は蓋体２上に排出される。その排出された状態が、図２４Ｂの状態である。
【０１０１】
図２４Ｂは、ディスク２００の排出動作が完了した状態を示している。図２４Ｂに示す状態では、連結ロッド４１は、ディスクドライブユニット１００の前方で最も突出した位置の状態で停止している。また、ディスク２００は、図１０に示す状態にある。すなわち、ディスク２００は、ゴムローラ６ａ〜６ｄと防塵カバー３を構成する弾性シート３ａとに支持され、蓋体２の上表面と非接触の状態にある。また、ディスク２００の中央に形成された孔は、蓋体２の凹部２ａと対向するように位置する。従って、ユーザは、ディスク２００の中央に形成された孔に手指を挿入することにより、ディスク２００を容易に抜き取ることができる。
【０１０２】
なお、図２４Ｂに示す状態から蓋体２の閉蓋位置２Ａに移動させるには、蓋体２の回動軸２ｂよりもディスク挿入孔４４ａから離れた部分を矢印Ｂ３方向に押圧することにより行うことができる。
【０１０３】
次に、蓋開閉アーム４６を含む蓋開閉ブロック１５０の機能に着目して説明する。
【０１０４】
まず、ディスク２００が装着されていない閉蓋状態で、ディスク２００を挿入する際には、一旦、手動で開蓋状態としてディスク２００を挿入し、そのディスク２００の装着に連動して自動で閉蓋状態に切り換えることができる。すなわち、図２１Ａ，図２１Ｂ，図２２Ａ，図２２Ｂ、及び図２３Ａを用いて前述したように、ディスク２００がディスクドライブユニット１００内に挿入されターンテーブル１３上に装着されるとき、連結ロッド４１が矢印Ａ１方向に移動する。この連結ロッド４１の移動の過程で、蓋開閉アーム４６のアーム部４６ａが突起部４１ａに当接して回動する。このアーム部４６ａの回動に伴い、蓋開閉ギア４５が回動し、当該蓋開閉ギア４５と噛み合う内歯ギア２ｃから蓋開閉ギア４５の回動力を受けて、開蓋位置２Ｂにある蓋体２が回動軸２ｂを中心に回動する。この回動により保持機構を構成するトグルばね５０の作用点を支持する側板部２ｄも回動する。これにより、トグルばね５０の蓋体２に対する付勢力が閉蓋方向に切り換えられ、蓋体２は閉蓋位置２Ａに移動して保持される。
【０１０５】
一方、ディスク２００がターンテーブル１３上に装着されている閉蓋状態で、ディスク２００を排出する際には、一旦、手動で開蓋状態とすることにより、ディスク２００を排出することができるが、この際には閉蓋状態に切り換えることができない。すなわち、図２３Ａ，図２３Ｂ，図２４Ａ及び図２４Ｂを用いて前述したように、ターンテーブル１３上に装着されたディスク２００を排出するとき、連結ロッド４１が矢印Ａ２方向に移動する。この連結ロッド４１の移動の過程で、蓋開閉アーム４６のアーム部４６ａが突起部４１ａに当接して回動する。このとき、蓋開閉ギア４５は、トグルばね５０により矢印Ｂ２方向に付勢された蓋体２の内歯ギア２ｃと噛み合っているので回動しない。すなわち、蓋開閉アーム４６は、蓋開閉ギア４５に対して空転する。従って、蓋体２は、閉蓋状態に切り換えられることなく、保持機構を構成するトグルばね５０の付勢力によって開蓋位置２Ｂで保持される。
【０１０６】
すなわち、蓋開閉アーム４６を含む蓋開閉ブロック１５０は、ディスク２００の挿入と排出に関連し、手動で一旦、閉蓋位置２Ａから開蓋位置２Ｂに移動された蓋体２を、閉蓋位置２Ａに移動させるように機能する場合と、閉蓋位置２Ａに移動させないように機能する場合とがある。言い換えれば、蓋開閉アーム４６は、ディスク２００の挿入（装着動作）時に連結ロッド４１が矢印Ａ１方向に移動するときだけ蓋開閉ギア４５に回動力を伝達して、蓋体２を閉蓋するように作用する。また、ディスク２００の排出（装着解除動作）時に連結ロッド４１が矢印Ａ２方向に移動するときには、蓋開閉アーム４６は空転し、蓋体２は閉蓋されることなく開蓋状態を維持する。このように、蓋開閉アーム４６を含む蓋開閉ブロック１５０は、蓋体２が同じように手動で開蓋された場合であっても、ディスク２００挿入時のみ連動して閉蓋状態に切り換える、いわゆる１ウェイクラッチとしての機能を有している。
【０１０７】
次に、図２５Ａ及び図２５Ｂを用いて、ディスク２００と蓋体２との位置関係について説明する。
【０１０８】
図２５Ａは、ディスク２００と蓋体２とが接触した状態を示している。図２５Ａに示すように、蓋体２の上表面は、ディスクの挿入方向に対する左右方向において、緩やかな凹状に湾曲している。これにより、ディスク２００を蓋体２の上表面をガイドとしてディスク挿入口１ｃに挿入する際、ディスク２００の周縁部のみが蓋体２の上表面に接触し、それ以外の部分は蓋体２に接触しないようにすることができる。従って、ディスク２００に傷が付くことを抑えることができる。
【０１０９】
ディスク２００が、弾性シート３ａのスリット３ｂを通じて、ディスクドライブユニット１００内に挿入されると、ディスク２００は、弾性シート３ａに支持された状態を維持して、ゴムローラ６ａ〜６ｄに当接する。
【０１１０】
図２５Ｂは、ディスク２００がゴムローラ６ａ〜６ｄと弾性シート３ａとにより支持された状態を示している。図２５Ｂに示す状態は、ディスク２００がディスクドライブユニット１００に挿入されて支持された状態であると共に、ディスクドライブユニット１００から排出された直後の状態でもあり、前述した図１０に示す平面状態と対応している。このとき、ディスク２００は、ゴムローラ６ａ〜６ｄによる挟持力及び摩擦力と、防塵カバー３の弾性力及び摩擦力とにより、ディスクドライブユニット１００の外部へ飛び出すことなく保持されている。また、ディスク２００は、蓋体２の上表面に接触することなく保持されている。従って、排出時に、ユーザは、ディスク２００を蓋体２に接触させることなく、手指により取り去ることができる。
【０１１１】
次に、図２６を用いて、本発明の第１実施形態にかかるディスク装置の制御関係の構成について説明する。図２６は、本第１実施形態にかかるディスク装置の制御関係の構成を示すブロック図である。
【０１１２】
図２６において、本第１実施形態にかかるディスク装置は、制御部５３と、検出スイッチ群５４と、搬入・搬出モータ制御回路５５と、ディスク再生機構５６とを備えている。
【０１１３】
制御部５３は、検出スイッチ群５４の検出情報に基づいて、搬入・搬出モータ制御回路５５とディスク再生機構５６とを制御する。検出スイッチ群５４は、検出スイッチＳＷ１〜ＳＷ４を備えている。検出スイッチＳＷ１は、蓋開閉検出スイッチ５１に対応している。検出スイッチＳＷ２は、ディスク挿入口１ｃを通じて挿入されたディスク２００を検出する検出スイッチ２７ａに対応している。検出スイッチＳＷ３は、ディスク２００の排出時にディスク搬送動作の終了を検出する検出スイッチ２７ｂに対応している。検出スイッチＳＷ４は、ディスク２００が再生可能位置に搬送されターンテーブル１３上に装着されたことを検出する検出スイッチ２７ｃに対応している。搬入・搬出モータ制御回路５５は、モータ９の駆動を制御する制御回路である。ディスク再生機構５６は、スピンドルモータや、トラバース駆動部、光学的な検出制御部、信号処理部等のディスク２００の再生に必要な装置を含むものである。ここでは、ディスク再生機構５６の詳細は省略する。
【０１１４】
次に、図２７を用いて、本第１実施形態にかかるディスク装置の制御フローを説明する。図２７は、本第１実施形態にかかるディスク装置の制御フローを示すフローチャートである。なお、下記制御フローは、制御部５３の制御の下で行われる。
【０１１５】
まず、ステップＳ１では、蓋体２が閉蓋位置２Ａに位置するか否かを判断する。具体的には、検出スイッチＳＷ１（蓋開閉検出スイッチ５１）がオンされたか否かを判断する。蓋体２が開蓋位置２Ｂに移動されて検出スイッチＳＷ１がオンされると、ステップＳ２に進む。
【０１１６】
ステップＳ２では、ディスク２００がターンテーブル１３上に装着されている状態か否かを判断する。具体的には、検出スイッチＳＷ４（検出スイッチ２７ｃ）がオンされた後、検出スイッチＳＷ３（検出スイッチ２７ｂ）がオンされたか否かを判断する。ディスク２００がターンテーブル１３上に装着されていない状態（図２１Ｂに示す状態）であるとき、ステップＳ３に進む。一方、ディスク２００がターンテーブル１３上に装着されている状態（図２３Ｂに示す状態）であるとき、ステップＳ９に進む。なお、ディスク２００がターンテーブル１３上に装着されている状態で、ユーザが蓋体２を開蓋位置２Ｂに移動させるのは、ディスク２００をディスクドライブユニット１００から排出したいときと考えられる。
【０１１７】
ステップＳ３では、ディス挿入口１ｃにディスク２００が挿入されたか否かを判断する。具体的には、検出スイッチＳＷ２（検出スイッチ２７ａ）がオンされたか否かを判断する。ディスク挿入口１ｃにディスク２００が挿入されていない場合、ステップＳ４に進む。一方、ディスク挿入口１ｃにディスク２００が挿入された場合、ステップＳ５に進む。
【０１１８】
ステップＳ４では、蓋体２が開蓋位置２Ｂに位置する状態が継続されているか否かを判断する。具体的には、検出スイッチＳＷ１がオフであるか否かを判断する。蓋体２の開蓋位置２Ｂに位置する状態が継続されている場合、ステップＳ３に戻る。一方、ディスク２００が挿入されることなく、蓋体２が閉蓋位置２Ａに移動された場合（図２１Ａに示す状態）、本制御フローを終了する。
【０１１９】
ステップＳ５では、ディスク挿入口１ｃから挿入されたディスク２００を再生可能位置に搬送するように、ディスク搬送機構が制御される（ディスク搬入指令）。その後、ステップＳ６に進む。
【０１２０】
ステップＳ６では、モータ９が正転駆動され、ディスク搬入動作及びディスク装着動作が行われる。その後、ステップＳ７に進む。なお、このディスク装着動作の過程で、図２２Ｂ及び図２３Ａに示すように、蓋体２が閉蓋位置２Ａへ移動する。ディスク２００がターンテーブル１３上に装着され、蓋体２が閉蓋位置２Ａに到達すると、検出スイッチＳＷ４（検出スイッチ２７ｃ）がオンされる（図２３Ａに示す状態）。
【０１２１】
ステップＳ７では、ディスク２００がターンテーブル１３上に装着されたか否かを判断する。具体的には、検出スイッチＳＷ４（検出スイッチ２７ｃ）がオンされたか否かを判断する。ディスク２００がターンテーブル１３上に装着されていないとき、ステップＳ６に戻る。一方、ディスク２００がターンテーブル１３上に装着されたとき、ステップＳ８に進む。
【０１２２】
ステップＳ８では、モータ９の駆動を停止（ディスク装着完了）させ、本制御フローを終了する。
【０１２３】
ステップＳ９では、蓋体２が開蓋位置２Ｂに位置すると共に、ディスク２００がターンテーブル１３上に装着されている状態であるとき、ディスク再生機構５６によりディスク２００が再生中であるか否かを判断する。ディスク２００が再生中であるとき、ステップＳ１０に進む。ディスク２００が再生中でないとき、ステップＳ１１に進む。
【０１２４】
ステップＳ１０では、ディスク２００の再生を停止させるように、ディスク再生機構５６が制御される（ディスク再生停止指令）。その後、ステップＳ１２に進む。
【０１２５】
ステップＳ１１では、ディスク２００をディスク挿入口１ｃから排出するように、ディスク搬送機構が制御される（ディスク排出指令）。その後、ステップＳ１２に進む。
【０１２６】
ステップＳ１２では、モータ９を反転駆動させる。これにより、ディスク排出動作が開始される。その後、ステップＳ１３に進む。なお、このディスク排出動作の過程で、図２４Ａ及び図２４Ｂに示すように、連結ロッド４１が矢印Ａ２方向に移動する。
【０１２７】
ステップＳ１３では、ディスク排出動作が完了した（図２４Ｂに示す状態）か否かを判断する。具体的には、検出スイッチＳＷ３（検出スイッチ２７ｂ）がオンされたか否かを判断する。ディスク排出動作が完了したと判断すると、ステップＳ１４に進む。
【０１２８】
ステップＳ１４では、モータ９の駆動を停止（ディスク排出完了）させ、本制御フローを終了する。なお、このとき、ディスク２００は、図２４Ｂに示すように、ゴムローラ６ａ〜６ｄと防塵カバー３を構成する弾性シート３ａとに支持され、蓋体２の上表面と非接触の状態で保持される。
【０１２９】
上述したように、蓋体２が開蓋位置２Ｂに移動されたとき、ディスク２００がターンテーブル１３上に装着されているか否かによって、その後の制御フローが異なる。ターンテーブル１３上にディスク２００が装着されていない場合には、ディスク挿入口１ｃからディスク２００を挿入すると、ディスク装着動作に連動して、蓋体２が開蓋位置２Ｂから閉蓋位置２Ａに自動的に移動されるようになっている。一方、ディスク２００がターンテーブル１３上に装着されている場合には、蓋体２の閉蓋位置２Ａから開蓋位置２Ｂへの移動に連動して、ディスク排出動作が自動的に行われるようになっている。
【０１３０】
以上、本第１実施形態によれば、外装ケース１内にディスクドライブユニット１００が収容され、外装ケース１の開口部１ｂを開閉可能に塞ぐように蓋体２が設けられているので、ディスクドライブユニット１００内への異物の侵入を防止することができる。
【０１３１】
また、本第１実施形態によれば、外装ケース１の前面壁１ａが傾斜面を有し、当該傾斜面に対して面一になるように蓋体２が構成されているので、厚みを感じさせない外観デザインを有するディスク装置を提供することができる。また、蓋体２には、特許文献２のフロントパネルのような操作ボタン等が突設されていないので、ディスク２００又は蓋体２に傷がつくことを抑えることができる。
【０１３２】
また、本第１実施形態によれば、外装ケース２の開口部１ｂの開閉を、ディスク挿入口１ｃの前方に位置する回動軸２ｂを中心として蓋体２を回動させるという簡単な構成で実現することができる。
【０１３３】
また、本第１実施形態によれば、蓋体２は、閉蓋位置２Ａに位置する状態で回動軸２ｂよりもディスク挿入口１ｃ側の部分を押圧されることにより開蓋位置２Ｂへ回動し、開蓋位置２Ｂに位置する状態で回動軸２ｂよりもディスク挿入口１ｃから離れた部分を押圧されることにより閉蓋位置２Ａへ回動するように構成されている。これにより、簡単な操作で蓋体２を閉蓋位置２Ａ又は開蓋位置２Ｂに移動させることができる。
【０１３４】
また、本第１実施形態によれば、蓋体２の上表面に、手指が入る凹部２ａが形成されているので、ユーザが手指をディスク２００の中央に設けられた孔を通じて凹部２ａに差し込むことで、ディスク２００の保持を容易に行うことができる。
【０１３５】
また、本第１実施形態にかかるディスク装置は、ディスク２００が弾性シート３ａのスリット３ｂに挿入されて弾性シート３ａに支持されると共にゴムローラ６ａ〜６ｄに挟持されたとき、ディスク２００と蓋体２とが非接触の状態になるように構成されている。これにより、ディスク２００の排出時に、ディスク２００を蓋体２に接触することなく排出することができ、ディスク２００又は蓋体２に傷がつくことを抑えることができる。
【０１３６】
また、本第１実施形態にかかるディスク装置は、閉蓋位置２Ａに移動された蓋体２を当該閉蓋位置２Ａで保持すると共に、開蓋位置２Ｂに移動された蓋体２を当該開蓋位置２Ｂで保持する保持機構と、蓋体２の開閉に関連して保持機構による保持状態を切り換える蓋開閉切換機構を有している。ここで、本第１実施形態において、保持機構は、蓋体２の側板部２ｄとフレーム４３の軸受板４３ａとの間に設けたトグルばね５０で構成され、蓋体２の閉蓋位置２Ａと開蓋位置２Ｂの両状態を、そのトグルばね５０の付勢力で保持している。また、本第１実施形態において、蓋開閉切換機構は、蓋開閉ギアブロック１５０、固定ワッシャ４８、及びギア軸４９で構成されている。しかしながら、本発明はこれに限定されるものではない。また、本第１実施形態にかかるディスク装置は、蓋体２が開蓋位置２Ｂに位置する状態において、ディスク装着機構がディスク２００をターンテーブル１３上に装着するように動作するとき、当該動作に連動して、蓋開閉切換機構により、前記保持機構が蓋体２を開蓋位置２Ｂで保持する状態から、蓋体２を閉蓋位置２Ａで保持する状態に切り換えるように構成されている。これにより、蓋体２を開蓋位置２Ｂに移動させてディスク２００をディスク挿入口１ｃに挿入するだけの簡単な操作で、ディスク２００のターンテーブル１３上への装着及び蓋体２の閉蓋位置２Ａへの移動を一連の動作として行うことができる。
【０１３７】
また、本第１実施形態にかかるディスク装置は、ディスク２００がターンテーブル１３上に装着された状態で、蓋体２が閉蓋位置２Ａから開蓋位置２Ｂへ移動されたとき、ディスク搬送機構がディスク２００をディスク挿入口１ｃに排出する一方、前記保持機構が蓋体２を開蓋位置２Ｂで保持する状態を、蓋開閉切換機構により切り換えることなく、蓋体２を開蓋位置２Ｂで保持する状態を維持するように構成されている。これにより、蓋体２を閉蓋位置２Ａから開蓋位置２Ｂに移動させるだけで、ターンテーブル１３上に装着されたディスク２００を自動的にディスク挿入口１ｃから排出することができる。また、このとき、蓋体２がディスク２００の排出を阻害しないようにすることができる。
【０１３８】
また、本第１実施形態によれば、前記蓋開閉切換機構は、１ウェイクラッチとしての蓋開閉アーム４６を備えているので、ディスク挿入時はディスク装着動作に連動して蓋体２を閉蓋位置２Ａに移動させる一方、ディスク排出時はディスク排出動作に連動せずに蓋体２を開蓋位置２Ｂで保持するという構成を容易に実現することができる。
【０１３９】
（第２実施形態）
図２８は、本発明の第２実施形態にかかるディスク装置を備えたテレビジョン受像機を示す斜視図である。
【０１４０】
図２８において、本第２実施形態にかかるディスク装置を備えたテレビジョン受像機は、テレビジョン受像機本体５８と、当該テレビジョン受像機本体５８を支持するペデスタル５７とを備えている。ペデスタル５７は、外装ケース１と同様の構成を有している。すなわち、ペデスタル５７の前面壁５７ａは、下部が前方となるように傾斜する傾斜面を有している。また、この前面壁５７ａに形成された開口部を開閉可能に塞ぐように蓋体２が設けられている。なお、図示していないが、ペデスタル５７には、ディスクドライブユニット１００が内蔵されている。
【０１４１】
本第２実施形態によれば、ペデスタル５７が外装ケース１と同様に前面壁に傾斜面を有する構成を有しているので、その前面壁の傾斜面を利用した開閉蓋を構成することにより、厚みを感じさせない外観デザインを有するディスク装置内蔵型テレビジョン受像機を提供することができる。
【０１４２】
本発明は、添付図面を参照しながら好ましい実施の形態に関連して充分に記載されているが、この技術に熟練した人々にとっては種々の変形や修正は明白である。そのような変形や修正は、添付した請求の範囲による本発明の範囲から外れない限りにおいて、その中に含まれると理解されるべきである。
【０１４３】
２０１０年１０月１３日に出願された日本国特許出願Ｎｏ．２０１０−２３０２１９号の明細書、図面、及び特許請求の範囲の開示内容は、全体として参照されて本明細書の中に取り入れられるものである。
【産業上の利用可能性】
【０１４４】
本発明のディスク装置は、異物の侵入を防止すると共に、前面壁に傾斜面を有するような外装ケースに内蔵されて、その前面壁の傾斜面を利用した開閉蓋を構成して、厚みを感じさせない外観デザインを実現することができるので、特に、テレビジョン受像機などの他の電気機器と一体化されて使用されるスロットイン方式のディスク装置として有用である。
【手続補正２】
【補正対象書類名】特許請求の範囲
【補正対象項目名】全文
【補正方法】変更
【補正の内容】
【特許請求の範囲】
【請求項１】
ディスク挿入口から挿入されたディスクを再生可能位置に搬送するディスク搬送機構と、
前記再生可能位置に搬送されたディスクを再生可能なクランプ状態にするためにターンテーブル上に装着するディスク装着機構と、
を備えるスロットイン方式のディスク装置であって、
前記ディスク装置の外装ケースの前面壁は、前方が下方に傾斜する傾斜面を有し、
前記外装ケースの前面壁には、前記ディスク挿入口への前記ディスクの挿入を可能にする開口部が設けられると共に、前記開口部を開閉可能に塞ぐように蓋体が設けられ、
前記蓋体は、前記ディスク挿入口の前方の前記開口部の側部において前記ディスク搬送方向と直交する方向に設けた回動軸を中心として回動することにより、前記ディスク挿入口が外部に露出しないように前記傾斜面に対して面一になる閉蓋位置と、前記ディスク挿入口を外部に露出させる共に前記ディスクを前記ディスク挿入口へガイド可能な開蓋位置との間を移動するように構成されている、ディスク装置。
【請求項２】
前記蓋体は、前記閉蓋位置に位置する状態で前記回動軸よりも前記ディスク挿入口側の部分を押圧されることにより前記開蓋位置へ回動し、前記開蓋位置に位置する状態で前記回動軸よりも前記ディスク挿入口から離れた部分を押圧されることにより前記閉蓋位置へ回動するように構成されている、請求項１に記載のディスク装置。
【請求項３】
前記ディスク搬送機構は、前記再生可能位置に搬送された前記ディスクを前記ディスク挿入口へ排出可能に構成され、
前記蓋体には、前記蓋体が前記開蓋位置に位置するときに前記ディスク搬送機構により前記ディスク挿入口から排出された前記ディスクの中心に形成された孔と対向する部分に、手指が入る凹部が形成されている、請求項１又は２に記載のディスク装置。
【請求項４】
前記ディスク搬送機構は、前記ディスク挿入口から挿入された前記ディスクを前記再生可能位置に搬送する複数のディスク搬送ローラを備え、
前記ディスク挿入口には、前記ディスクが通過可能なスリットが設けられた弾性シートで構成される防塵カバーが取り付けられ、
前記ディスクが前記スリットに挿入されて前記弾性シートに支持されると共に前記複数のディスク搬送ローラに挟持されたとき、前記ディスクと前記蓋体とが非接触の状態になるように構成されている、請求項１〜３のいずれか１つに記載のディスク装置。
【請求項５】
前記外装ケースは、テレビジョン受像機のペデスタルを構成する、請求項１〜４のいずれか１つに記載のディスク装置。
【請求項６】
前記閉蓋位置に移動された前記蓋体を当該閉蓋位置で保持すると共に、前記開蓋位置に移動された前記蓋体を当該開蓋位置で保持する保持機構と、
前記蓋体の開閉に関連して前記保持機構による保持状態を切り換える蓋開閉切換機構と、をさらに有し、
前記蓋体が前記開蓋位置に位置する状態において、前記ディスク装着機構が前記ディスクを前記ターンテーブル上に装着するように動作するとき、当該動作に連動して、前記蓋開閉切換機構によって、前記保持機構が前記蓋体を前記開蓋位置で保持する状態から当該蓋体の閉蓋位置で保持する状態に切り換えるように構成されている、請求項１〜５のいずれか１つに記載のディスク装置。
【請求項７】
前記ディスク搬送機構は、前記再生可能位置に搬送された前記ディスクを前記ディスク挿入口へ排出可能に構成され、
前記ディスクが前記ターンテーブル上に装着された状態で、前記蓋体が前記閉蓋位置から前記開蓋位置へ移動されたとき、前記ディスク搬送機構が前記ディスクを前記ディスク挿入口へ排出する一方、前記保持機構が前記蓋体を前記開蓋位置で保持する状態を切り換えることなく前記蓋体を前記開蓋位置で保持するように構成されている、請求項６に記載のディスク装置。
【請求項８】
前記蓋開閉切換機構は、ディスク挿入時のみに作用して前記保持機構による前記開蓋位置の保持状態から前記閉蓋位置の保持状態に切り換えを可能とする１ウェイクラッチを備える、請求項７に記載のディスク装置。
【手続補正３】
【補正対象書類名】図面
【補正対象項目名】全図
【補正方法】変更
【補正の内容】
【図１Ａ】
2012049793.tif 000043
【図１Ｂ】
2012049793.tif 000044
【図２】
2012049793.tif 000045
【図３】
2012049793.tif 000046
【図４】
2012049793.tif 000047
【図５】
2012049793.tif 000048
【図６】
2012049793.tif 000049
【図７Ａ】
2012049793.tif 000050
【図７Ｂ】
2012049793.tif 000051
【図８Ａ】
2012049793.tif 000052
【図８Ｂ】
2012049793.tif 000053
【図９Ａ】
2012049793.tif 000054
【図９Ｂ】
2012049793.tif 000055
【図１０】
2012049793.tif 000056
【図１１】
2012049793.tif 000057
【図１２】
2012049793.tif 000058
【図１３】
2012049793.tif 000059
【図１４】
2012049793.tif 000060
【図１５】
2012049793.tif 000061
【図１６Ａ】
2012049793.tif 000062
【図１６Ｂ】
2012049793.tif 000063
【図１７Ａ】
2012049793.tif 000064
【図１７Ｂ】
2012049793.tif 000065
【図１８】
2012049793.tif 000066
【図１９Ａ】
2012049793.tif 000067
【図１９Ｂ】
2012049793.tif 000068
【図２０】
2012049793.tif 000069
【図２１Ａ】
2012049793.tif 000070
【図２１Ｂ】
2012049793.tif 000071
【図２２Ａ】
2012049793.tif 000072
【図２２Ｂ】
2012049793.tif 000073
【図２３Ａ】
2012049793.tif 000074
【図２３Ｂ】
2012049793.tif 000075
【図２４Ａ】
2012049793.tif 000076
【図２４Ｂ】
2012049793.tif 000077
【図２５Ａ】
2012049793.tif 000078
【図２５Ｂ】
2012049793.tif 000079
【図２６】
2012049793.tif 000080
【図２７】
2012049793.tif 000081
【図２８】
2012049793.tif 000082
【国際調査報告】
2012049793.tif 000083
2012049793.tif 000084
2012049793.tif 000085
2012049793.tif 000086